(57)【要約】  本発明は、チャネルリソースセットの指示方法、端末装置及びネットワーク機器を開示し、前記方法は、少なくとも第１リソースセット及び第２リソースセットを含む少なくとも２つのリソースセットを確定し、異なるリソースセットがそれぞれ異なる復調用参照信号（ＤＭＲＳ）マッピングタイプ又は対応するスケジューリングタイプに対応することと、前記少なくとも２つのリソースセットのうちの１つのリソースセットから、第１リソースを確定することと、を含む。本発明は、各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
2021502005.tif 000002
【特許請求の範囲】
【請求項１】
チャネルリソースセットの指示方法であって、端末装置に適用され、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応することと、
前記少なくとも２つのリソースセットのうちの１つのリソースセットから、第１リソースを確定することと、
前記第１リソースによって第１チャネルを伝送することと、を含み、
前記第１リソースによって第１チャネルを伝送することは、
第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し且つ前記第２チャネルが第１ＤＭＲＳマッピングタイプを用いて伝送することと、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送することと、を含む、前記チャネルリソースセットの指示方法。
【請求項２】
各リソースセットが、少なくとも１つの時間領域、及び／又は、周波数領域、及び／又は、コード領域のリソースを含むことを特徴とする
請求項１に記載の方法。
【請求項３】
少なくとも２つのリソースセットを確定することは、
前記端末装置が、予め設定された情報に基づいて少なくとも２つのリソースセットの構成を確定することを含むことを特徴とする
請求項１に記載の方法。
【請求項４】
少なくとも２つのリソースセットを確定することは、
前記端末装置が、ネットワーク側から送信された第１シグナリングに基づいて少なくとも２つのリソースセットの構成を確定することを含むことを特徴とする
請求項１に記載の方法。
【請求項５】
前記第１シグナリングが、ＲＲＣ制御シグナリング又はシステム情報（ＳＩ）であることを特徴とする
請求項４に記載の方法。
【請求項６】
前記少なくとも２つのリソースセットのうちの１つのリソースセットから、第１リソースを確定することは、
前記端末装置が、ネットワーク側から送信された第１制御情報に基づき、前記少なくとも２つのリソースセットのうちの１つのリソースセットから、第１リソースを確定することを含み、
前記第１制御情報が、少なくとも２つのリソースセットのうちの１つのリソースセットにおける第１リソースの番号情報を含むことを特徴とする
請求項１に記載の方法。
【請求項７】
前記少なくとも２つのリソースセットのうちの１つのリソースセットから、第１リソースを確定することは、
前記端末装置が第１制御情報のフォーマットに基づき、又は、前記端末装置がネットワーク側から送信されたＤＭＲＳマッピングタイプ又は対応するスケジューリングタイプの指示情報に基づき、前記少なくとも２つのリソースセットのうちの１つのリソースセットから、第１リソースを確定することを含むことを特徴とする
請求項１に記載の方法。
【請求項８】
前記第１制御情報が、ダウンリンク制御情報ＤＣＩ及び／又は媒体アクセス制御（ＭＡＣ）制御要素（ＣＥ）であることを特徴とする
請求項６又は７に記載の方法。
【請求項９】
前記第１チャネルが、前記第１リソースセットに対応する第１ＤＭＲＳマッピングタイプを用いて伝送するとき、又は、第１チャネルが第２チャネルに対するＨＡＲＱ−ＡＣＫ情報を伝送し且つ前記第２チャネルが第１ＤＭＲＳマッピングタイプを用いて伝送するとき、前記方法は、更に、
該チャネルを伝送するタイムスロットの開始シンボルに基づいて、少なくとも１つのＤＭＲＳシンボルの位置を確定することを含むことを特徴とする
請求項１に記載の方法。
【請求項１０】
前記少なくとも１つのＤＭＲＳシンボルが、前記タイムスロットの３番目の時間領域シンボル又は４番目の時間領域シンボルであることを特徴とする
請求項９に記載の方法。
【請求項１１】
前記第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送し、前記方法は、更に、
１組のシンボルの開始シンボルに基づいて、少なくとも１つの復調用参照信号シンボルの位置を確定することを含み、
前記１組のシンボルが、前記第１チャネル又は第２チャネル及びそれらのＤＭＲＳを伝送するためのシンボルであることを特徴とする
請求項１に記載の方法。
【請求項１２】
前記少なくとも１つの復調用参照信号シンボルは、
前記１組のシンボル内の１番目のシンボル、
前記１組のシンボル内の中央範囲に位置する１つのシンボル、
前記１組のシンボル内の奇数シンボル、
前記１組のシンボル内の偶数シンボルのうちの１つであることを特徴とする
請求項１１に記載の方法。
【請求項１３】
前記第１チャネルが、前記第１リソースセットに対応する第１ＤＭＲＳマッピングタイプを用いて伝送するとき、又は、第１チャネルが第２チャネルに対するＨＡＲＱ−ＡＣＫ情報を伝送し且つ前記第２チャネルが第１ＤＭＲＳマッピングタイプを用いて伝送するとき、前記方法は、更に、
タイムスロット及び／又はシンボル単位で時間領域リソースを指示することを含むことを特徴とする
請求項１に記載の方法。
【請求項１４】
前記第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送し、前記方法は、更に、
シンボル単位で時間領域リソースを指示することを含むことを特徴とする
請求項１に記載の方法。
【請求項１５】
チャネルリソースセットの指示方法であって、ネットワーク機器に適用され、
端末装置に少なくとも２つのリソースセットを設定することと、
少なくとも２つのリソースセットのうちの１つのリソースセットから第１リソースを選択するように前記端末装置に指示することと、を含み、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する、前記チャネルリソースセットの指示方法。
【請求項１６】
各リソースセットが、少なくとも１つの時間領域、及び／又は、周波数領域、及び／又は、コード領域のリソースを含むことを特徴とする
請求項１５に記載の方法。
【請求項１７】
端末装置に少なくとも２つのリソースセットを設定することは、
前記端末装置へ第１シグナリングを送信することにより、少なくとも２つのリソースセットの構成を設定することを含むことを特徴とする
請求項１５に記載の方法。
【請求項１８】
前記第１シグナリングが、ＲＲＣ制御シグナリング又はシステム情報（ＳＩ）であることを特徴とする
請求項１７に記載の方法。
【請求項１９】
前記方法は、更に、
前記端末装置へ第１制御情報を送信することにより、前記第１制御情報によって前記少なくとも２つのリソースセットのうちの１つのリソースセットから、第１リソースを確定することを含み、
前記第１制御情報が、第１リソースセット又は第２リソースセットにおける第１リソースの番号情報を含むことを特徴とする
請求項１５に記載の方法。
【請求項２０】
前記方法は、更に、
復調用参照信号マッピングタイプに対応するフォーマットを用いて前記第１制御情報を送信することを含むことを特徴とする
請求項１９に記載の方法。
【請求項２１】
前記第１制御情報が、ダウンリンク制御情報ＤＣＩ及び／又は媒体アクセス制御（ＭＡＣ）制御要素（ＣＥ）であることを特徴とする
請求項１９又は２０に記載の方法。
【請求項２２】
前記方法は、更に、
端末装置へ復調用参照信号マッピングタイプ又は対応するスケジューリングタイプの指示情報を送信し、少なくとも２つのリソースセットの１つのリソースセットから第１リソースを確定するように端末装置に指示することを含むことを特徴とする
請求項１５に記載の方法。
【請求項２３】
端末装置であって、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応し、前記少なくとも２つのリソースセットのうちの１つのリソースセットから、第１リソースを確定する処理ユニットと、
前記第１リソースによって第１チャネルを伝送する通信ユニットと、を備え、
前記通信ユニットは、第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し、且つ前記第２チャネルが第１ＤＭＲＳマッピングタイプを用いて伝送し、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送する、前記端末装置。
【請求項２４】
各リソースセットが、少なくとも１つの時間領域、及び／又は、周波数領域、及び／又は、コード領域のリソースを含むことを特徴とする
請求項２３に記載の端末装置。
【請求項２５】
処理ユニットが予め設定された情報に基づいて少なくとも２つのリソースセットの構成を確定することを特徴とする
請求項２３に記載の端末装置。
【請求項２６】
処理ユニットがネットワーク側から送信された第１シグナリングに基づいて少なくとも２つのリソースセットの構成を確定し、
それに対応して、通信ユニットがネットワーク側から送信された第１シグナリングを受信することを特徴とする
請求項２３に記載の端末装置。
【請求項２７】
前記第１シグナリングが、ＲＲＣ制御シグナリング又はシステム情報（ＳＩ）であることを特徴とする
請求項２６に記載の端末装置。
【請求項２８】
前記処理ユニットが、ネットワーク側から送信された第１制御情報に基づき、前記少なくとも２つのリソースセットのうちの１つのリソースセットから、第１リソースを確定し、
前記第１制御情報が、少なくとも２つのリソースセットのうちの１つのリソースセットにおける第１リソースの番号情報を含むことを特徴とする
請求項２３に記載の端末装置。
【請求項２９】
前記処理ユニットが第１制御情報のフォーマットに基づき、又は、前記端末装置がネットワーク側から送信されたＤＭＲＳマッピングタイプ又は対応するスケジューリングタイプの指示情報に基づき、前記少なくとも２つのリソースセットのうちの１つのリソースセットから、第１リソースを確定することを特徴とする
請求項２３に記載の端末装置。
【請求項３０】
前記第１制御情報が、ダウンリンク制御情報ＤＣＩ及び／又は媒体アクセス制御（ＭＡＣ）制御要素（ＣＥ）であることを特徴とする
請求項２８又は２９に記載の端末装置。
【請求項３１】
前記処理ユニットは、前記第１チャネルが、前記第１リソースセットに対応する第１ＤＭＲＳマッピングタイプを用いて伝送するとき、又は、第１チャネルが第２チャネルに対するＨＡＲＱ−ＡＣＫ情報を伝送し且つ前記第２チャネルが第１ＤＭＲＳマッピングタイプを用いて伝送するとき、該チャネルを伝送するタイムスロットの開始シンボルに基づいて、少なくとも１つのＤＭＲＳシンボルの位置を確定することを特徴とする
請求項２３に記載の端末装置。
【請求項３２】
前記少なくとも１つのＤＭＲＳシンボルが、前記タイムスロットの３番目の時間領域シンボル又は４番目の時間領域シンボルであることを特徴とする
請求項３１に記載の端末装置。
【請求項３３】
前記処理ユニットは、前記第１チャネルが、前記第２リソースセットに対応する第２ＤＭＲＳマッピングタイプを用いて伝送するとき、又は、第１チャネルが第２チャネルに対するＨＡＲＱ−ＡＣＫ情報を伝送し且つ前記第２チャネルが第２ＤＭＲＳマッピングタイプを用いて伝送するとき、１組のシンボルの開始シンボルに基づいて、少なくとも１つの復調用参照信号シンボルの位置を確定し、
前記１組のシンボルが、前記第１チャネル又は第２チャネル及びそれらのＤＭＲＳを伝送するためのシンボルであることを特徴とする
請求項２３に記載の端末装置。
【請求項３４】
前記少なくとも１つの復調用参照信号シンボルは、
前記１組のシンボル内の１番目のシンボル、
前記１組のシンボル内の中央範囲に位置する１つのシンボル、
前記１組のシンボル内の奇数シンボル、
前記１組のシンボル内の偶数シンボルのうちの１つであることを特徴とする
請求項３３に記載の端末装置。
【請求項３５】
前記処理ユニットは第１チャネルが、前記第１リソースセットに対応する第１ＤＭＲＳマッピングタイプを用いて伝送するとき、又は、第１チャネルが第２チャネルに対するＨＡＲＱ−ＡＣＫ情報を伝送し且つ前記第２チャネルが第１ＤＭＲＳマッピングタイプを用いて伝送するとき、タイムスロット及び／又はシンボル単位で時間領域リソースを指示することを特徴とする
請求項２３に記載の端末装置。
【請求項３６】
前記処理ユニットは前記第１チャネルが、前記第２リソースセットに対応する第２ＤＭＲＳマッピングタイプを用いて伝送するとき、又は、第１チャネルが第２チャネルに対するＨＡＲＱ−ＡＣＫ情報を伝送し且つ前記第２チャネルが第２ＤＭＲＳマッピングタイプを用いて伝送するとき、シンボル単位で時間領域リソースを指示することを特徴とする
請求項２３に記載の端末装置。
【請求項３７】
ネットワーク機器であって、
端末装置に少なくとも２つのリソースセットを設定する設定ユニットと、
少なくとも２つのリソースセットのうちの１つのリソースセットから第１リソースを選択するように前記端末装置に指示する指示ユニットと、を備え、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する、前記ネットワーク機器。
【請求項３８】
各リソースセットが、少なくとも１つの時間領域、及び／又は、周波数領域、及び／又は、コード領域のリソースを含むことを特徴とする
請求項３７に記載のネットワーク機器。
【請求項３９】
前記設定ユニットは前記端末装置へ第１シグナリングを送信することにより、少なくとも２つのリソースセットの構成を設定することを特徴とする
請求項３７に記載のネットワーク機器。
【請求項４０】
前記第１シグナリングが、ＲＲＣ制御シグナリング又はシステム情報（ＳＩ）であることを特徴とする
請求項３９に記載のネットワーク機器。
【請求項４１】
前記指示ユニットは前記端末装置へ第１制御情報を送信することにより、前記第１制御情報によって前記少なくとも２つのリソースセットのうちの１つのリソースセットから、第１リソースを確定し、
前記第１制御情報が、第１リソースセット又は第２リソースセットにおける第１リソースの番号情報を含むことを特徴とする
請求項３７に記載のネットワーク機器。
【請求項４２】
前記指示ユニットは、
復調用参照信号マッピングタイプに対応するフォーマットを用いて前記第１制御情報を送信することを特徴とする
請求項４１に記載のネットワーク機器。
【請求項４３】
前記第１制御情報が、ダウンリンク制御情報ＤＣＩ及び／又は媒体アクセス制御（ＭＡＣ）制御要素（ＣＥ）であることを特徴とする
請求項４１又は４２に記載のネットワーク機器。
【請求項４４】
前記指示ユニットは、端末装置へ復調用参照信号マッピングタイプ又は対応するスケジューリングタイプの指示情報を送信し、少なくとも２つのリソースセットの１つのリソースセットから第１リソースを確定するように端末装置に指示することを特徴とする
請求項３７に記載のネットワーク機器。
【発明の詳細な説明】
【技術分野】
【０００１】
本発明は情報処理技術分野に関し、特にチャネルリソースセットの指示方法、端末装置及びネットワーク機器に関する。
【背景技術】
【０００２】
ＬＴＥシステムにおいて、ある端末のアップリンク制御チャネル（ＰＵＣＣＨ）のリソースは二段階法で指示することができ、即ち、基地局がＲＲＣシグナリングによって端末に複数の候補周波数領域リソースを含む１つのリソースセットを設定し、更にダウンリンク制御情報ＤＣＩによってリソースセットから該端末に該端末がＰＵＣＣＨを伝送するための１つの周波数領域リソースを指定する。５Ｇ  ＮＲ技術についての検討において、リソースセットの方法を採用してＰＵＣＣＨリソースを割り当て、基地局が、１つ又は複数の多次元リソースセットを設定することができ、各リソースセットが、ＲＲＣシグナリングによって端末に複数の時間領域、周波数領域、コード領域の多次元ＰＵＣＣＨリソースを含む。そしてから、基地局が、ＤＣＩによってリソースセットから、該端末に該端末がＰＵＣＣＨを伝送するための１つの多次元リソースを指定する。
【０００３】
現在、５Ｇ  ＮＲはタイムスロットに基づくスケジューリング及びシンボルに基づくスケジューリングの２つのスケジューリングタイプをサポートする。しかしながら、１つ又は１セットのＰＵＣＣＨリソースセットを統一して設定する必要があり、このようにすれば、各スケジューリングタイプ又は対応するＤＣＩ  Ｆｏｒｍａｔに対するリソーススケジューリングの柔軟性を制限して、より大きなＲＲＣシグナリング及びＤＣＩシグナリングオーバーヘッドをもたらしてしまう。
【発明の概要】
【発明が解決しようとする課題】
【０００４】
上記技術的問題を解決するために、本発明の実施例はチャネルリソースセットの指示方法、端末装置及びネットワーク機器を提供する。
【課題を解決するための手段】
【０００５】
本発明の実施例に係るチャネルリソースセットの指示方法は端末装置に適用され、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応することと、
前記少なくとも２つのリソースセットのうちの１つのリソースセットから、第１リソースを確定することと、
前記第１リソースによって第１チャネルを伝送することと、を含み、
前記第１リソースによって第１チャネルを伝送することは、
第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し且つ前記第２チャネルが第１ＤＭＲＳマッピングタイプを用いて伝送することと、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送することと、を含む。
【０００６】
本発明の実施例に係るチャネルリソースセットの指示方法はネットワーク機器に適用され、
端末装置に少なくとも２つのリソースセットを設定することと、
少なくとも２つのリソースセットのうちの１つのリソースセットから第１リソースを選択するように前記端末装置に指示することと、を含み、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する。
【０００７】
本発明の実施例に係る端末装置は、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応し、前記少なくとも２つのリソースセットのうちの１つのリソースセットから、第１リソースを確定する処理ユニットと、
前記第１リソースによって第１チャネルを伝送する通信ユニットと、を備え、
前記通信ユニットは第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し、且つ前記第２チャネルが第１ＤＭＲＳマッピングタイプを用いて伝送し、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送する。
【０００８】
本発明の実施例に係るネットワーク機器は、
端末装置に少なくとも２つのリソースセットを設定する設定ユニットと、
少なくとも２つのリソースセットのうちの１つのリソースセットから第１リソースを選択するように前記端末装置に指示する指示ユニットと、を備え、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する。
【０００９】
本発明の実施例は更に端末装置を提供し、プロセッサと、プロセッサにおいて実行できるコンピュータプログラムを記憶するように構成されるメモリと、を備え、
前記プロセッサは前記コンピュータプログラムを実行するとき、上記方法のステップを実行することに用いられる。
【００１０】
本発明の実施例は更にネットワーク機器を提供し、プロセッサと、プロセッサにおいて実行できるコンピュータプログラムを記憶するように構成されるメモリと、を備え、
前記プロセッサは前記コンピュータプログラムを実行するとき、上記方法のステップを実行することに用いられる。
【００１１】
本発明の実施例は更にコンピュータ記憶媒体を提供し、前記コンピュータ記憶媒体にコンピュータ実行可能命令が記憶され、前記コンピュータ実行可能命令が実行されるとき、上記方法ステップを実現する。
【発明の効果】
【００１２】
本発明の実施例の技術案は異なるスケジューリングタイプ及びＤＭＲＳマッピングタイプに対し異なるリソースセットを設定することができ、これにより、異なるスケジューリングタイプ及びＤＭＲＳマッピングタイプに対しそれぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいてリソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【図面の簡単な説明】
【００１３】
【図１】図１は本発明の実施例に係るチャネルリソースセットの指示方法のフローチャート１である。
【図２】図２は本発明の実施例のマッピングタイプの模式図１である。
【図３】図３は本発明の実施例のマッピングタイプの模式図２である。
【図４】図４は本発明の実施例のマッピングタイプの模式図３である。
【図５】図５は本発明の実施例のマッピングタイプの模式図４である。
【図６】図６は本発明の実施例に係るチャネルリソースセットの指示方法のフローチャート２である。
【図７】図７は本発明の実施例に係るチャネルリソースセットの指示方法のフローチャート３である。
【図８】図８は本発明の実施例の端末装置の要部構成の模式図である。
【図９】図９は本発明の実施例のネットワーク機器の要部構成の模式図である。
【図１０】図１０は本発明の実施例のハードウェアのアーキテクチャ模式図である。
【発明を実施するための形態】
【００１４】
本発明の実施例の特徴及び技術的内容をより詳しく理解するために、以下に図面を参照しながら本発明の実施例の実現を詳しく説明し、添付の図面は説明のためのものであって、本発明の実施例を制限するためのものではない。
【００１５】
実施例１
本発明の実施例に係るチャネルリソースセットの指示方法は端末装置に適用され、図１に示すように、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応するステップ１０１と、
前記少なくとも２つのリソースセットのうちの１つのリソースセットから、第１リソースを確定するステップ１０２と、
前記第１リソースによって第１チャネルを伝送するステップ１０３と、を含み、
前記第１リソースによって第１チャネルを伝送することは、
第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し且つ前記第２チャネルが第１ＤＭＲＳマッピングタイプを用いて伝送することと、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送することと、を含む。
【００１６】
ここで、前記端末装置は携帯電話、タブレットＰＣ等の通信ネットワークにアクセスできる装置であってもよい。
【００１７】
端末装置に含まれる少なくとも２つのリソースセットのうちの各リソースセットが、少なくとも１つの時間領域、及び／又は、周波数領域、及び／又は、コード領域のリソースを含む。
【００１８】
また、異なるリソースセットに含まれる少なくとも１つの時間領域、及び／又は、周波数領域、及び／又は、コード領域のリソースが少なくとも部分的に異なり、又は、異なるリソースセットに含まれる少なくとも１つの時間領域、及び／又は、周波数領域、及び／又は、コード領域のリソースが完全に異なると理解すべきである。
【００１９】
端末が少なくとも２つのリソースセットを確定する方式は以下を含んでもよい。
【００２０】
方式１
前記端末装置が予め設定された情報に基づいて第１リソースセット及び／又は第２リソースセットの構成を確定する。
【００２１】
具体的には、端末は予め定義された情報によって第１リソースセット及び／又は第２リソースセットの構成を確定することができる。
【００２２】
予め設定された情報又は予め定義された情報は端末側で他の操作によって取得された情報に基づいて予め設定されたものであってもよい。
【００２３】
方式２
前記端末装置がネットワーク側から送信された第１シグナリングに基づいて少なくとも２つのリソースセットの構成を確定する。
【００２４】
具体的に、端末はネットワーク機器から送信された第１シグナリングに基づいて第１リソースセット及び／又は第２リソースセットの構成を確定することができる。
【００２５】
前記第１シグナリングが、ＲＲＣ制御シグナリング又はシステム情報（ＳＩ）である。
【００２６】
更に、上記ステップ１０２では、前記少なくとも２つのリソースセットのうちの１つのリソースセットから、第１リソースを確定することは複数の処理を含んでもよい。
【００２７】
処理１
前記端末装置がネットワーク側から送信された第１制御情報に基づき、前記少なくとも２つのリソースセットのうちの１つのリソースセットから、第１リソースを確定し、
前記第１制御情報が、少なくとも２つのリソースセットのうちの１つのリソースセットにおける第１リソースの番号情報を含む。
【００２８】
具体的には、少なくとも２つのリソースセットに第１リソースセット及び第２リソースセットが含まれる場合、端末がネットワーク機器から送信された第１制御情報に基づき、第１リソースセット又は第２リソースセットから第１リソースを確定する。
【００２９】
前記第１制御情報が、第１リソースセット又は第２リソースセットにおける第１リソースの番号情報を含む。
【００３０】
処理２
前記少なくとも２つのリソースセットのうちの１つのリソースセットから、第１リソースを確定することは、
前記端末装置が第１制御情報のフォーマットに基づき、又は、前記端末装置がネットワーク側から送信されたＤＭＲＳマッピングタイプの指示情報に基づき、前記少なくとも２つのリソースセットのうちの１つのリソースセットから、第１リソースを確定することを含む。
【００３１】
第１制御情報のフォーマットがＤＣＩのフォーマットであってもよい。
【００３２】
つまり、端末は前記第１制御情報のフォーマット（例えば、ＤＣＩフォーマット）に基づき又はネットワーク機器から送信された復調用参照信号マッピングタイプの指示情報を用いることを確定することにより、第１リソースを第１リソースセットによって確定するか又は第２リソースセットによって確定するかを確定することができる。
【００３３】
上記２つの処理方式では、前記第１制御情報がいずれもダウンリンク制御情報ＤＣＩ及び／又は媒体アクセス制御（ＭＡＣ）制御要素（ＣＥ）であってもよい。
【００３４】
前記第１チャネルが、前記第１リソースセットに対応する第１ＤＭＲＳマッピングタイプを用いて伝送するとき、又は、第１チャネルが第２チャネルに対するＨＡＲＱ−ＡＣＫ情報を伝送し且つ前記第２チャネルが第１ＤＭＲＳマッピングタイプを用いて伝送するとき、前記方法は、更に、
該チャネルを伝送するタイムスロットの開始シンボルに基づいて、少なくとも１つのＤＭＲＳシンボルの位置を確定し、又は、前記第１復調用参照信号マッピングタイプを用いて伝送する第１チャネル又は第２チャネルがタイムスロット及び／又はシンボル単位で時間領域リソースを指示することを含む。
【００３５】
前記少なくとも１つの復調用参照信号シンボルの位置が前記タイムスロットの３番目の時間領域シンボル又は４番目の時間領域シンボルである。
【００３６】
前記第１チャネルが、前記第２リソースセットに対応する第２ＤＭＲＳマッピングタイプを用いて伝送するとき、又は、第１チャネルが第２チャネルに対するＨＡＲＱ−ＡＣＫ情報を伝送し且つ前記第２チャネルが第２ＤＭＲＳマッピングタイプを用いて伝送するとき、前記方法は、更に、
前記第２ＤＭＲＳマッピングタイプを用いて伝送する第１チャネル又は第２チャネルにおいて、１組のシンボルの開始シンボルに基づいて、少なくとも１つの復調用参照信号シンボルの位置を確定することを含む。
【００３７】
具体的に、前記第２復調用参照信号マッピングタイプを用いて伝送するチャネルにおいて、少なくとも１つの復調用参照信号シンボルの位置が１組のシンボルの開始シンボルによって確定される。前記１組のシンボルが前記データチャネル及びその復調用参照信号を伝送するシンボルである。前記少なくとも１つの復調用参照信号シンボルは、
前記１組のシンボル内の１番目のシンボル、
前記１組のシンボル内の中央範囲に位置する１つのシンボル、
前記１組のシンボル内の奇数シンボル、
前記１組のシンボル内の偶数シンボルのうちの１つである。
【００３８】
中央範囲にあることはすべてのシンボルの中間シンボルにあると見なされてもよく、例えば、総シンボル数が偶数Ｎである場合、Ｎ／２番目又はＮ／２＋１番目のシンボルである可能性があり、Ｎ／２番目であるか又はＮ／２＋１番目であるかは、奇数シンボルを選択するか又は偶数シンボルを選択するかによって決定される。
【００３９】
又は、シンボル単位で時間領域リソースを指示する。
【００４０】
前記第２復調用参照信号マッピングタイプを用いて伝送するチャネルがシンボル単位で時間領域リソースを指示する。
【００４１】
以上によれば、上記解決手段を用いることにより、異なるスケジューリングタイプ及びＤＭＲＳマッピングタイプに対し異なるリソースセットを設定することができ、これにより、異なるスケジューリングタイプ及びＤＭＲＳマッピングタイプに対しそれぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいて、リソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【００４２】
また、既存のネットワーク側情報（例えば、ＤＣＩフォーマット又は復調用参照信号マッピングタイプ又はスケジューリングタイプの指示情報）に基づき、第１リソースを第１リソースセットによって確定するか又は第２リソースセットによって確定するかを確定することができ、追加のシグナリング指示を必要としないため、更にシグナリング伝送オーバーヘッドを低減する。
【００４３】
実施例２
本実施例は２つのＤＭＲＳマッピングタイプに対しそれぞれＰＤＳＣＨリソースセットを設定し、具体的に、
２つのＰＤＳＣＨ  ＤＭＲＳマッピングタイプがそれぞれＤＭＲＳマッピングタイプＡ（図２参照）及びＤＭＲＳマッピングタイプＢ（図３参照）である。
【００４４】
ＤＭＲＳマッピングタイプＡを用いるＰＤＳＣＨにおいて、ＤＭＲＳシンボルの位置がＰＤＳＣＨの所在するタイムスロットの開始シンボルを参照位置として確定され（例えば、第１ＤＭＲＳシンボルが常にタイムスロットの３番目又は４番目のシンボルに位置する）、ＤＭＲＳマッピングタイプＡは、主にタイムスロットに基づくスケジューリングタイプ（ｓｌｏｔ−ｂａｓｅｄ  ｓｃｈｅｄｕｌｉｎｇ）であり、すなわち、タイムスロットを単位としてスケジューリングする。ＤＭＲＳマッピングタイプＢを用いるＰＤＳＣＨにおいて、ＤＭＲＳシンボルの位置がＰＤＳＣＨの占有したシンボルにおける１番目のシンボルを参照位置として確定され（例えば、第１ＤＭＲＳシンボルが常にＰＤＳＣＨの占有した１番目のシンボルに位置する）、ＤＭＲＳマッピングタイプＢは主に非タイムスロットに基づくスケジューリングタイプ（ｎｏｎ−ｓｌｏｔ−ｂａｓｅｄ  ｓｃｈｅｄｕｌｉｎｇ）であり、すなわち、シンボルを単位としてスケジューリングする。
【００４５】
本実施例は、ＤＭＲＳマッピングタイプＡ（ｓｌｏｔ−ｂａｓｅｄ  ｓｃｈｅｄｕｌｉｎｇ）及びＤＭＲＳマッピングタイプＢ（ｎｏｎ−ｓｌｏｔ−ｂａｓｅｄ  ｓｃｈｅｄｕｌｉｎｇ）に対して、それぞれ１つのＰＤＳＣＨリソースセットを設定し、ＰＤＳＣＨリソースセットＡ及びＰＤＳＣＨリソースセットＢがそれぞれ異なるリソースを含む。本実施例に示されるとおり、ＰＤＳＣＨリソースセットＡが４種類の数量のタイムスロットのリソースを含み、２種類の開始シンボルのリソースのみを含み、且つシンボルの数が異なるリソースを含まず、ＰＤＳＣＨリソースセットＢが４種類の開始シンボルの異なるリソースを含み、タイムスロットの数が異なるリソースを含まず、２種類のシンボル数のリソースを含む。
【表１】
2021502005.tif 000003
【表２】
2021502005.tif 000004
【００４６】
この解決手段を用いることにより、ＰＤＳＣＨリソースセットＡ及びＰＤＳＣＨリソースセットＢは、ｓｌｏｔ−ｂａｓｅｄ  ｓｃｈｅｄｕｌｉｎｇ及びｎｏｎ−ｓｌｏｔ−ｂａｓｅｄ  ｓｃｈｅｄｕｌｉｎｇに対して、リソースの構成をそれぞれ最適化することができる。より効果的なネットワークカバレッジを実現するために、通常、ｓｌｏｔ−ｂａｓｅｄ  ｓｃｈｅｄｕｌｉｎｇのＰＤＳＣＨは、連続した複数のタイムスロットの伝送が必要であり、それは、リソースセットＡを用いることに適合する。低遅延の伝送を実現するために、通常、ｎｏｎ−ｓｌｏｔ−ｂａｓｅｄ  ｓｃｈｅｄｕｌｉｎｇのＰＤＳＣＨは１〜２個のシンボル長の伝送長さが必要であり、リソースセットＢを用いることに適合する。ＤＭＲＳマッピングタイプＡ（ｓｌｏｔ−ｂａｓｅｄ  ｓｃｈｅｄｕｌｉｎｇ）及びＤＭＲＳマッピングタイプＢ（ｎｏｎ−ｓｌｏｔ−ｂａｓｅｄ  ｓｃｈｅｄｕｌｉｎｇ）が１つのリソースセットを共有することに比べて、より高いスケジューリングの柔軟性を実現して、各リソースプールにおけるリソースの数を減少させることができ、それによりＤＣＩでリソースプールにおけるリソース番号を使用するとき、ＤＣＩのシグナリングオーバーヘッドを低減することができる。
【００４７】
実施例３
本実施例は２つのスケジューリングタイプに対しそれぞれＰＵＳＣＨリソースセットを設定する。
【００４８】
２つのＰＵＳＣＨのスケジューリングタイプ（図４、図５参照）、即ち、タイムスロットに基づくスケジューリングタイプ（ｓｌｏｔ−ｂａｓｅｄ  ｓｃｈｅｄｕｌｉｎｇ）、すなわち、タイムスロット単位でスケジューリングするタイプ、及び、非タイムスロットに基づくスケジューリングタイプ（ｎｏｎ−ｓｌｏｔ−ｂａｓｅｄ  ｓｃｈｅｄｕｌｉｎｇ）、すなわち、シンボル単位でスケジューリングするタイプである。
【００４９】
本実施例は、ＤＭＲＳマッピングタイプＡ（ｓｌｏｔ−ｂａｓｅｄ  ｓｃｈｅｄｕｌｉｎｇ）及びＤＭＲＳマッピングタイプＢ（ｎｏｎ−ｓｌｏｔ−ｂａｓｅｄ  ｓｃｈｅｄｕｌｉｎｇ）に対して、それぞれ１つのＰＵＳＣＨリソースセット、すなわちＰＵＳＣＨリソースセットＡ及びＰＵＳＣＨリソースセットＢを設定し、それらがそれぞれ異なるリソースを含む。本実施例に示されるとおり、ＰＵＳＣＨリソースセットＡが４種類の数量のタイムスロットのリソースを含み、２種類の開始シンボルのリソースのみを含み、且つシンボルの数が異なるリソースを含まず、ＰＵＳＣＨリソースセットＢが４種類の開始シンボルの異なるリソースを含み、タイムスロットの数が異なるリソースを含まず、２種類のシンボル数のリソースを含む。
【表３】
2021502005.tif 000005
【表４】
2021502005.tif 000006
【００５０】
この解決手段を用いることにより、ＰＵＳＣＨリソースセットＡ及びＰＵＳＣＨリソースセットＢは、ｓｌｏｔ−ｂａｓｅｄ  ｓｃｈｅｄｕｌｉｎｇ及びｎｏｎ−ｓｌｏｔ−ｂａｓｅｄ  ｓｃｈｅｄｕｌｉｎｇに対して、リソースの構成をそれぞれ最適化することができる。より効果的なネットワークカバレッジを実現するために、通常、ｓｌｏｔ−ｂａｓｅｄ  ｓｃｈｅｄｕｌｉｎｇのＰＵＳＣＨは複数のタイムスロットを連続的に伝送する必要であり、リソースセットＡを用いることに適合する。低遅延の伝送を実現するために、通常、ｎｏｎ−ｓｌｏｔ−ｂａｓｅｄ  ｓｃｈｅｄｕｌｉｎｇのＰＵＳＣＨは１−２個のシンボル長の伝送長さが必要であり、リソースセットＢを用いることに適合する。ｓｌｏｔ−ｂａｓｅｄ  ｓｃｈｅｄｕｌｉｎｇ及びｎｏｎ−ｓｌｏｔ−ｂａｓｅｄ  ｓｃｈｅｄｕｌｉｎｇが１つのリソースセットを共有することに比べて、より高いスケジューリングの柔軟性を実現して、各リソースプールにおけるリソースの数を減少させることができ、それによりＤＣＩでリソースプールにおけるリソース番号を指示するとき、ＤＣＩのシグナリングオーバーヘッドを低減することができる。
【００５１】
実施例４
本実施例は２つのＤＭＲＳマッピングタイプのＰＤＳＣＨに対応するＨＡＲＱ−ＡＣＫが含まれるＰＵＣＣＨにそれぞれ２種類のリソースセットを設定する。
【００５２】
２つのＰＤＳＣＨ  ＤＭＲＳマッピングタイプがそれぞれＤＭＲＳマッピングタイプＡ（図２参照）及びＤＭＲＳマッピングタイプＢ（図３参照）であり、ＤＭＲＳマッピングタイプＡを用いるＰＤＳＣＨにおいて、ＤＭＲＳシンボルの位置がＰＤＳＣＨの所在するタイムスロットの開始シンボルを参照位置として確定され（例えば、第１ＤＭＲＳシンボルが常にタイムスロットの３番目又は４番目のシンボルに位置する）、ＤＭＲＳマッピングタイプＡは主にタイムスロットに基づくスケジューリングタイプ（ｓｌｏｔ−ｂａｓｅｄ  ｓｃｈｅｄｕｌｉｎｇ）であり、すなわち、タイムスロットを単位としてスケジューリングし、ＤＭＲＳマッピングタイプＢを用いるＰＤＳＣＨにおいて、ＤＭＲＳシンボルの位置がＰＤＳＣＨの占有したシンボルにおける１番目のシンボルを参照位置として確定され（例えば、第１ＤＭＲＳシンボルが常にＰＤＳＣＨの占有した１番目のシンボルに位置する）、ＤＭＲＳマッピングタイプＢは主に非タイムスロットに基づくスケジューリングタイプ（ｎｏｎ−ｓｌｏｔ−ｂａｓｅｄ  ｓｃｈｅｄｕｌｉｎｇ）であり、すなわち、シンボルを単位としてスケジューリングする。
【００５３】
本実施例では、ＤＭＲＳマッピングタイプＡ（ｓｌｏｔ−ｂａｓｅｄ  ｓｃｈｅｄｕｌｉｎｇ）及びＤＭＲＳマッピングタイプＢ（ｎｏｎ−ｓｌｏｔ−ｂａｓｅｄ  ｓｃｈｅｄｕｌｉｎｇ）を用いるＰＤＳＣＨに対応するＨＡＲＱ−ＡＣＫを搬送するＰＵＣＣＨに対して、それぞれ１つのＰＵＣＣＨリソースセット、すなわち、ＰＵＣＣＨリソースセットＡ及びＰＵＣＣＨリソースセットＢを設定し、それらがそれぞれ異なるリソースを含む。本実施例に示されるとおり、ＰＵＣＣＨリソースセットＡが４種類の数量のタイムスロットのリソースを含み、２種類の開始シンボルのリソースのみを含み、且つシンボル数が異なるリソースを含まず、ＰＵＣＣＨリソースセットＢが４種類の開始シンボルの異なるリソースを含み、タイムスロットの数が異なるリソースを含まず、２種類のシンボル数のリソースを含む。
【表５】
2021502005.tif 000007
【表６】
2021502005.tif 000008
【００５４】
この解決手段を用いることにより、ＰＵＣＣＨリソースセットＡ及びＰＵＣＣＨリソースセットＢは、それぞれｓｌｏｔ−ｂａｓｅｄ  ｓｃｈｅｄｕｌｉｎｇを用いるＰＤＳＣＨに対応するＨＡＲＱ−ＡＣＫ  ＰＵＣＣＨ、及びｎｏｎ−ｓｌｏｔ−ｂａｓｅｄ  ｓｃｈｅｄｕｌｉｎｇを用いるＰＤＳＣＨに対応するＨＡＲＱ−ＡＣＫ  ＰＵＣＣＨに対しリソースの構成を最適化することができる。より効果的なネットワークカバレッジを実現するために、通常、ｓｌｏｔ−ｂａｓｅｄ  ｓｃｈｅｄｕｌｉｎｇのＰＤＳＣＨは、連続した複数のタイムスロットのＰＵＣＣＨによりそのＨＡＲＱ−ＡＣＫを搬送する必要があり、リソースセットＡを用いることに適合する。低遅延のＨＡＲＱ−ＡＣＫフィードバックを実現するために、通常、ｎｏｎ−ｓｌｏｔ−ｂａｓｅｄ  ｓｃｈｅｄｕｌｉｎｇのＰＤＳＣＨは、１−２個のシンボル長のＰＵＣＣＨによりそのＨＡＲＱ−ＡＣＫを搬送する必要があり、リソースセットＢを用いることに適用する。上記２種類のＰＵＣＣＨが１つのリソースセットを共有することに比べて、より高いスケジューリングの柔軟性を実現して、各リソースプールにおけるリソースの数を減少させることができ、それによりＤＣＩでリソースプールにおけるリソース番号を指示するとき、ＤＣＩのシグナリングオーバーヘッドを低減することができる。
【００５５】
実施例５
図６に示すように、本実施例に係るリソースセットを確定し及びリソースセットからチャネルの伝送リソースを確定するプロセスは、具体的に、
まず、端末装置がネットワーク側（例えば、ネットワーク機器）から送信されたＲＲＣシグナリング、システム情報又は予め定義された構成に基づき、ＤＭＲＳマッピングタイプＡのためのリソースセットＡ及びＤＭＲＳマッピングタイプＢのためのリソースセットＢを確定し、
前記端末装置がネットワーク側から送信されたＤＣＩ又はＭＡＣ  ＣＥを受信し、前記ＤＣＩ又はＭＡＣ  ＣＥにおける指示情報に基づき、今回取得したチャネル（すなわち、上記第１チャネル）がＤＭＲＳマッピングタイプＡに基づくか又はＤＭＲＳマッピングタイプＢに基づくかを確定し、更にリソースセットＡ又はリソースセットＢにおけるチャネルリソースを用いることを確定し、
マッピングタイプＡを用いることを確定する場合、ＤＣＩ又はＭＡＣ  ＣＥの指示によりリソースセットＡからチャネルに使用されるリソースを確定し、確定されたリソース及び対応するＤＭＲＳマッピングタイプＡを用いて該チャネルを伝送し、
マッピングタイプＢを用いることを確定する場合、ＤＣＩ又はＭＡＣ  ＣＥの指示によりリソースセットＢからチャネルに使用されるリソースを確定し、確定されたリソース及び対応するＤＭＲＳマッピングタイプＢを用いて該チャネルを伝送することを含む。
【００５６】
本発明は、ＤＣＩ  ｆｏｒｍａｔ及びスケジューリングタイプによって制御チャネル又はデータチャネルリソースセットを暗示的に指示する方法を提供し、異なるＤＣＩ  ｆｏｒｍａｔ又はスケジューリングタイプに対して異なるチャネルリソースセットを使用することをサポートすることができ、制御シグナリングオーバーヘッドを増加せずに、チャネルリソーススケジューリングの柔軟性を向上させる。
【００５７】
実施例６
本発明の実施例に係るチャネルリソースセットの指示方法はネットワーク機器に適用され、図７に示すように、
端末装置に少なくとも２つのリソースセットを設定するステップ７０１と、
少なくとも２つのリソースセットのうちの１つのリソースセットから第１リソースを選択するように前記端末装置に指示するステップ７０２と、を含み、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する。
【００５８】
また、異なるリソースセットに含まれる少なくとも１つの時間領域、及び／又は、周波数領域、及び／又は、コード領域のリソースが少なくとも部分的に異なり、又は、異なるリソースセットに含まれる少なくとも１つの時間領域、及び／又は、周波数領域、及び／又は、コード領域のリソースが完全に異なると理解すべきである。
【００５９】
前記第１チャネルが物理ダウンリンク共有チャネルＰＤＳＣＨ、物理アップリンク共有チャネルＰＵＳＣＨ又は物理アップリンク制御チャネルＰＵＣＣＨである。前記第２チャネルが物理ダウンリンク共有チャネルＰＤＳＣＨである。
【００６０】
端末に少なくとも２つのリソースセットを確定する方式は、
前記端末装置へ第１シグナリングを送信することにより、少なくとも２つのリソースセットの構成を設定することを含んでもよい。
【００６１】
ネットワーク機器は端末装置へ送信した第１シグナリングによって第１リソースセット及び／又は第２リソースセットの構成を確定することができる。
【００６２】
ネットワーク機器が端末へ第１シグナリングを送信することにより、第１リソースセット及び／又は第２リソースセットの情報を設定する。前記第１リソースセット及び／又は第２リソースセットの構成には更に各リソースの番号情報が含まれる。
【００６３】
前記第１シグナリングが、ＲＲＣ制御シグナリング又はシステム情報（ＳＩ）である。
【００６４】
更に、少なくとも２つのリソースセットから第１リソースを選択するように端末装置に指示する方式は、
前記端末装置へ第１制御情報を送信することにより、前記第１制御情報によって前記少なくとも２つのリソースセットのうちの１つのリソースセットから、第１リソースを確定することを含んでもよく、
前記第１制御情報が、第１リソースセット又は第２リソースセットにおける第１リソースの番号情報を含む。
【００６５】
復調用参照信号マッピングタイプに対応するフォーマットを用いて前記第１制御情報を送信する。
【００６６】
前記第１制御情報が、少なくとも２つのリソースセットのうちの１つのリソースセットにおける第１リソースの番号情報を含む。
【００６７】
具体的には、少なくとも２つのリソースセットが第１リソースセット及び第２リソースセットを含む場合、端末がネットワーク機器から送信された第１制御情報に基づき、第１リソースセット又は第２リソースセットから第１リソースを確定する。
【００６８】
前記第１制御情報が、第１リソースセット又は第２リソースセットにおける第１リソースの番号情報を含む。
【００６９】
前記第１制御情報が、ダウンリンク制御情報ＤＣＩ及び／又は媒体アクセス制御（ＭＡＣ）制御要素（ＣＥ）である。
【００７０】
また、ネットワーク側が第１リソースを指示する方式は、更に、ネットワーク機器が対応する復調用参照信号マッピングタイプに対応するフォーマット（例えば、ＤＣＩフォーマット）を用いて第１制御情報を送信し又は端末へ復調用参照信号マッピングタイプの指示情報を送信することにより、端末が第１リソースセットから第１リソースを確定するか又は第２リソースセットから第１リソースを確定するかを指示するということであってもよい。それに対応して、前記端末装置が第１制御情報のフォーマットに基づき、又は、前記端末装置がネットワーク側から送信されたＤＭＲＳマッピングタイプの指示情報に基づき、前記少なくとも２つのリソースセットのうちの１つのリソースセットから、第１リソースを確定する。
【００７１】
第１制御情報のフォーマットがＤＣＩのフォーマットであってもよい。
【００７２】
つまり、端末は前記第１制御情報のフォーマット（例えば、ＤＣＩフォーマット）に基づき又はネットワーク機器から送信された復調用参照信号マッピングタイプ又はスケジューリングタイプの指示情報を用いることを確定することにより、第１リソースを第１リソースセットによって確定するか又は第２リソースセットによって確定するかを確定することができる。
【００７３】
以上によれば、上記解決手段を用いることにより、異なるスケジューリングタイプ及びＤＭＲＳマッピングタイプに対して、異なるリソースセットを設定することができ、これにより、異なるスケジューリングタイプ及びＤＭＲＳマッピングタイプに対して、それぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいてリソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【００７４】
また、既存のネットワーク側情報（例えば、ＤＣＩフォーマット又は復調用参照信号マッピングタイプ又はスケジューリングタイプの指示情報）に基づき、第１リソースを第１リソースセットによって確定するか又は第２リソースセットによって確定するかを確定することができ、追加のシグナリング指示を必要としないため、更にシグナリング伝送オーバーヘッドを低減する。
【００７５】
実施例７
本発明の実施例は端末装置を提供し、図８に示すように、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応し、前記少なくとも２つのリソースセットのうちの１つのリソースセットから、第１リソースを確定する処理ユニット８１と、
前記第１リソースによって第１チャネルを伝送する通信ユニット８２と、を備え、
前記通信ユニット８２は第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し、且つ前記第２チャネルが第１ＤＭＲＳマッピングタイプを用いて伝送し、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送する。
【００７６】
ここで、前記端末装置が携帯電話、タブレットＰＣ等の通信ネットワークにアクセスできる装置であってもよい。
【００７７】
端末装置に含まれる少なくとも２つのリソースセットのうちの各リソースセットが、少なくとも１つの時間領域、及び／又は、周波数領域、及び／又は、コード領域のリソースを含む。
【００７８】
また、異なるリソースセットに含まれる少なくとも１つの時間領域、及び／又は、周波数領域、及び／又は、コード領域のリソースが少なくとも部分的に異なり、又は、異なるリソースセットに含まれる少なくとも１つの時間領域、及び／又は、周波数領域、及び／又は、コード領域のリソースが完全に異なると理解すべきである。
【００７９】
端末が少なくとも２つのリソースセットを確定する方式は以下を含んでもよい。
【００８０】
方式１
処理ユニット８１が予め設定された情報に基づいて第１リソースセット及び／又は第２リソースセットの構成を確定する。
【００８１】
具体的には、端末は予め定義された情報によって第１リソースセット及び／又は第２リソースセットの構成を確定することができる。
【００８２】
予め設定された情報又は予め定義された情報は端末側で他の操作によって取得された情報に基づいて予め設定されたものであってもよい。
【００８３】
方式２
処理ユニット８１がネットワーク側から送信された第１シグナリングに基づいて少なくとも２つのリソースセットの構成を確定する。
【００８４】
具体的に、端末はネットワーク機器から送信された第１シグナリングに基づいて第１リソースセット及び／又は第２リソースセットの構成を確定することができる。
【００８５】
前記第１シグナリングが、ＲＲＣ制御シグナリング又はシステム情報（ＳＩ）である。
【００８６】
更に、前記少なくとも２つのリソースセットのうちの１つのリソースセットから、第１リソースを確定することは更に複数の処理を含んでもよい。
【００８７】
処理１
処理ユニット８１がネットワーク側から送信された第１制御情報に基づき、前記少なくとも２つのリソースセットのうちの１つのリソースセットから、第１リソースを確定し、
前記第１制御情報が、少なくとも２つのリソースセットのうちの１つのリソースセットにおける第１リソースの番号情報を含む。
【００８８】
具体的には、少なくとも２つのリソースセットが第１リソースセット及び第２リソースセットを含む場合、端末がネットワーク機器から送信された第１制御情報に基づき、第１リソースセット又は第２リソースセットから第１リソースを確定する。
【００８９】
前記第１制御情報が、第１リソースセット又は第２リソースセットにおける第１リソースの番号情報を含む。
【００９０】
処理２
処理ユニット８１が第１制御情報のフォーマットに基づき、又は、前記端末装置がネットワーク側から送信されたＤＭＲＳマッピングタイプの指示情報に基づき、前記少なくとも２つのリソースセットのうちの１つのリソースセットから、第１リソースを確定する。
【００９１】
第１制御情報のフォーマットがＤＣＩのフォーマットであってもよい。
【００９２】
つまり、端末は前記第１制御情報のフォーマット（例えば、ＤＣＩフォーマット）に基づき又はネットワーク機器から送信された復調用参照信号マッピングタイプの指示情報を用いることを確定することにより、第１リソースを第１リソースセットによって確定するか又は第２リソースセットによって確定するかを確定することができる。
【００９３】
上記２つの処理方式では、前記第１制御情報がいずれもダウンリンク制御情報ＤＣＩ及び／又は媒体アクセス制御（ＭＡＣ）制御要素（ＣＥ）であってもよい。
【００９４】
前記第１チャネルが、前記第１リソースセットに対応する第１ＤＭＲＳマッピングタイプを用いて伝送するとき、又は、第１チャネルが第２チャネルに対するＨＡＲＱ−ＡＣＫ情報を伝送し且つ前記第２チャネルが第１ＤＭＲＳマッピングタイプを用いて伝送するとき、前記方法は、更に、
該チャネルを伝送するタイムスロットの開始シンボルに基づいて、少なくとも１つのＤＭＲＳシンボルの位置を確定し、又は、前記第１復調用参照信号マッピングタイプを用いて伝送する第１チャネル又は第２チャネルがタイムスロット及び／又はシンボル単位で時間領域リソースを指示することを含む。
【００９５】
前記少なくとも１つの復調用参照信号シンボルの位置が前記タイムスロットの３番目の時間領域シンボル又は４番目の時間領域シンボルである。
【００９６】
前記第１チャネルが、前記第２リソースセットに対応する第２ＤＭＲＳマッピングタイプを用いて伝送するとき、又は、第１チャネルが第２チャネルに対するＨＡＲＱ−ＡＣＫ情報を伝送し且つ前記第２チャネルが第２ＤＭＲＳマッピングタイプを用いて伝送するとき、前記方法は、更に、
前記第２ＤＭＲＳマッピングタイプを用いて伝送する第１チャネル又は第２チャネルにおいて、１組のシンボルの開始シンボルに基づいて、少なくとも１つの復調用参照信号シンボルの位置を確定することを含む。
【００９７】
具体的に、前記第２復調用参照信号マッピングタイプを用いて伝送するチャネルにおいて、少なくとも１つの復調用参照信号シンボルの位置が１組のシンボルの開始シンボルによって確定される。前記１組のシンボルが前記データチャネル及びその復調用参照信号を伝送するシンボルである。前記少なくとも１つの復調用参照信号シンボルは、
前記１組のシンボル内の１番目のシンボル、
前記１組のシンボル内の中央範囲に位置する１つのシンボル、
前記１組のシンボル内の奇数シンボル、
前記１組のシンボル内の偶数シンボルのうちの１つである。
【００９８】
中央範囲にあることはすべてのシンボルの中間シンボルにあると見なされてもよく、例えば、総シンボル数が偶数Ｎである場合、Ｎ／２番目又はＮ／２＋１番目のシンボルである可能性があり、Ｎ／２であるか又はＮ／２＋１番目であるかは、奇数シンボルを選択するか又は偶数シンボルを選択するかによって決定される。
【００９９】
又は、シンボル単位で時間領域リソースを指示する。
【０１００】
前記第２復調用参照信号マッピングタイプを用いて伝送するチャネルがシンボル単位で時間領域リソースを指示する。
【０１０１】
以上によれば、上記解決手段を用いることにより、異なるスケジューリングタイプ及びＤＭＲＳマッピングタイプに対し異なるリソースセットを設定することができ、これにより、異なるスケジューリングタイプ及びＤＭＲＳマッピングタイプに対しそれぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいてリソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【０１０２】
また、既存のネットワーク側情報（例えば、ＤＣＩフォーマット又は復調用参照信号マッピングタイプ又はスケジューリングタイプの指示情報）に基づき、第１リソースを第１リソースセットによって確定するか又は第２リソースセットによって確定するかを確定することができ、追加のシグナリング指示を必要としないため、更にシグナリング伝送オーバーヘッドを低減する。
【０１０３】
実施例８
本発明の実施例に係るネットワーク機器は図９に示されるとおり、
端末装置に少なくとも２つのリソースセットを設定する設定ユニット９１と、
少なくとも２つのリソースセットのうちの１つのリソースセットから第１リソースを選択するように前記端末装置に指示する指示ユニット９２と、を備え、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する。
【０１０４】
また、異なるリソースセットに含まれる少なくとも１つの時間領域、及び／又は、周波数領域、及び／又は、コード領域のリソースが少なくとも部分的に異なり、又は、異なるリソースセットに含まれる少なくとも１つの時間領域、及び／又は、周波数領域、及び／又は、コード領域のリソースが完全に異なると理解すべきである。
【０１０５】
前記第１チャネルが物理ダウンリンク共有チャネルＰＤＳＣＨ、物理アップリンク共有チャネルＰＵＳＣＨ又は物理アップリンク制御チャネルＰＵＣＣＨである。前記第２チャネルが物理ダウンリンク共有チャネルＰＤＳＣＨである。
【０１０６】
設定ユニット９１は前記端末装置へ第１シグナリングを送信することにより、少なくとも２つのリソースセットの構成を設定する。
【０１０７】
ネットワーク機器は端末装置へ送信する第１シグナリングによって第１リソースセット及び／又は第２リソースセットの構成を確定することができる。
【０１０８】
ネットワーク機器が端末へ第１シグナリングを送信することにより、第１リソースセット及び／又は第２リソースセットの情報を設定する。前記第１リソースセット及び／又は第２リソースセットの構成には更に各リソースの番号情報が含まれる。
【０１０９】
前記第１シグナリングが、ＲＲＣ制御シグナリング又はシステム情報（ＳＩ）である。
【０１１０】
更に、指示ユニット９２は前記端末装置へ第１制御情報を送信することにより、前記第１制御情報によって前記少なくとも２つのリソースセットのうちの１つのリソースセットから、第１リソースを確定し、
前記第１制御情報が、第１リソースセット又は第２リソースセットにおける第１リソースの番号情報を含む。
【０１１１】
復調用参照信号マッピングタイプに対応するフォーマットを用いて前記第１制御情報を送信する。
【０１１２】
前記第１制御情報が、少なくとも２つのリソースセットのうちの１つのリソースセットにおける第１リソースの番号情報を含む。
【０１１３】
具体的には、少なくとも２つのリソースセットが第１リソースセット及び第２リソースセットを含む場合、端末がネットワーク機器から送信された第１制御情報に基づき、第１リソースセット又は第２リソースセットから第１リソースを確定する。
【０１１４】
前記第１制御情報が、第１リソースセット又は第２リソースセットにおける第１リソースの番号情報を含む。
【０１１５】
前記第１制御情報が、ダウンリンク制御情報ＤＣＩ及び／又は媒体アクセス制御（ＭＡＣ）制御要素（ＣＥ）である。
【０１１６】
また、指示ユニット９２は更に対応する復調用参照信号マッピングタイプに対応するフォーマット（例えば、ＤＣＩフォーマット）を用いて第１制御情報を送信し又は端末へ復調用参照信号マッピングタイプの指示情報を送信することにより、第１リソースセット又は第２リソースセットから第１リソースを確定するように端末に指示することができる。それに対応して、前記端末装置が第１制御情報のフォーマットに基づき、又は、前記端末装置がネットワーク側から送信されたＤＭＲＳマッピングタイプの指示情報に基づき、前記少なくとも２つのリソースセットのうちの１つのリソースセットから、第１リソースを確定する。
【０１１７】
第１制御情報のフォーマットがＤＣＩのフォーマットであってもよい。
【０１１８】
つまり、端末は前記第１制御情報のフォーマット（例えば、ＤＣＩフォーマット）に基づき又はネットワーク機器から送信された復調用参照信号マッピングタイプの指示情報を用いることを確定することにより、第１リソースを第１リソースセットによって確定するか又は第２リソースセットによって確定するかを確定することができる。
【０１１９】
以上によれば、上記解決手段を用いることにより、異なるスケジューリングタイプ及びＤＭＲＳマッピングタイプに対し異なるリソースセットを設定することができ、これにより、異なるスケジューリングタイプ及びＤＭＲＳマッピングタイプに対しそれぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいてリソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【０１２０】
また、既存のネットワーク側情報（例えば、ＤＣＩフォーマット又は復調用参照信号マッピングタイプ又はスケジューリングタイプの指示情報）に基づき、第１リソースを第１リソースセットによって確定するか又は第２リソースセットによって確定するかを確定することができ、追加のシグナリング指示を必要としないため、更にシグナリング伝送オーバーヘッドを低減する。
【０１２１】
本発明の実施例は更に端末装置又はネットワーク機器のハードウェアの構成アーキテクチャを提供し、図１０に示すように、少なくとも１つのプロセッサ１００１、メモリ１００２、少なくとも１つのネットワークインターフェース１００３を備える。各コンポーネントがバスシステム１００４によって結合される。バスシステム１００４はこれらのコンポーネントの接続通信を実現することに用いられると理解される。バスシステム１００４はデータバスを備えるだけでなく、更に電源バス、制御バス及び状態信号バスを備える。しかしながら、明確に説明するために、図１０には各種類のバスがいずれもバスシステム１００４と記される。
【０１２２】
本発明の実施例におけるメモリ１００２は揮発性メモリ又は不揮発性メモリであってもよく、又は、揮発性メモリ及び不揮発性メモリを含んでもよいと理解される。
【０１２３】
いくつかの対応方式では、メモリ１００２には、実行可能モジュール又はデータ構造、又はそれらのサブセット、又はそれらの拡張セット、すなわち、
オペレーティングシステム１００２１及びアプリケーションプログラム１００２２が記憶される。
【０１２４】
前記プロセッサ１００１は実施例１又は実施例６に記載のすべての方法ステップを実行できるように構成され、ここで詳細な説明は省略する。
【０１２５】
本発明の実施例に係るコンピュータ記憶媒体にはコンピュータ実行可能命令が記憶され、前記コンピュータ実行可能命令が実行されるとき、上記実施例１又は６の方法ステップを実施する。
【０１２６】
本発明の実施例に記載の装置はソフトウェア機能モジュールの形式で実現され、且つ独立した製品として販売又は使用されるとき、１つのコンピュータ可読記憶媒体に記憶されてもよい。このような理解に基づき、本発明の実施例の技術案の本質又は従来技術に貢献する部分はソフトウェア製品の形式で具現されてもよく、該コンピュータソフトウェア製品は、１台のコンピュータ装置（パーソナルコンピュータ、サーバ又はネットワーク機器等であってもよい）に本発明の各実施例に記載の方法の全部又は一部を実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェアとソフトウェアとの組み合わせに制限されていない。
【０１２７】
それに対応して、本発明の実施例は更にコンピュータ記憶媒体を提供し、コンピュータプログラムが記憶され、該コンピュータプログラムが本発明の実施例のデータスケジューリング方法を実行するように構成される。
【０１２８】
例示のために、既に本発明の好適な実施例を開示したが、当業者であれば、種々の改良、追加及び置換も可能であると理解され、従って、本発明の範囲が上記実施例に限らない。
【図１】
2021502005.tif 000009
【図２】
2021502005.tif 000010
【図３】
2021502005.tif 000011
【図４】
2021502005.tif 000012
【図５】
2021502005.tif 000013
【図６】
2021502005.tif 000014
【図７】
2021502005.tif 000015
【図８】
2021502005.tif 000016
【図９】
2021502005.tif 000017
【図１０】
2021502005.tif 000018
【手続補正書】
【提出日】令和2年8月31日(2020.8.31)
【手続補正１】
【補正対象書類名】明細書
【補正対象項目名】全文
【補正方法】変更
【補正の内容】
【発明の詳細な説明】
【技術分野】
【０００１】
本発明は情報処理技術分野に関し、特にチャネルリソースの指示方法、端末装置及びネットワーク機器に関する。
【背景技術】
【０００２】
ＬＴＥシステムにおいて、ある端末のアップリンク制御チャネル（ＰＵＣＣＨ）のリソースは二段階法で指示することができ、即ち、基地局がＲＲＣシグナリングによって端末に複数の候補周波数領域リソースを含む１つのリソースセットを設定し、更にダウンリンク制御情報ＤＣＩによってリソースセットから該端末に該端末がＰＵＣＣＨを伝送するための１つの周波数領域リソースを指定する。５Ｇ  ＮＲ技術についての検討において、リソースセットの方法を採用してＰＵＣＣＨリソースを割り当て、基地局が、１つ又は複数の多次元リソースセットを設定することができ、各リソースセットが、ＲＲＣシグナリングによって端末に複数の時間領域、周波数領域、コード領域の多次元ＰＵＣＣＨリソースを含む。そしてから、基地局が、ＤＣＩによってリソースセットから、該端末に該端末がＰＵＣＣＨを伝送するための１つの多次元リソースを指定する。
【０００３】
現在、５Ｇ  ＮＲはタイムスロットに基づくスケジューリング及びシンボルに基づくスケジューリングの２つのスケジューリングタイプをサポートする。しかしながら、１つ又は１セットのＰＵＣＣＨリソースセットを統一して設定する必要があり、このようにすれば、各スケジューリングタイプ又は対応するＤＣＩ  Ｆｏｒｍａｔに対するリソーススケジューリングの柔軟性を制限して、より大きなＲＲＣシグナリング及びＤＣＩシグナリングオーバーヘッドをもたらしてしまう。
【発明の概要】
【発明が解決しようとする課題】
【０００４】
上記技術的問題を解決するために、本発明の実施例はチャネルリソースの指示方法、端末装置及びネットワーク機器を提供する。
【課題を解決するための手段】
【０００５】
本発明の実施例に係るチャネルリソースの指示方法は端末装置に適用され、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応することと、
前記少なくとも２つのリソースセットのうちの１つのリソースセットから、第１リソースを確定することと、
前記第１リソースによって第１チャネルを伝送することと、を含み、
前記第１リソースによって第１チャネルを伝送することは、
第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し且つ前記第２チャネルが第１ＤＭＲＳマッピングタイプを用いて伝送することと、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送することと、を含む。
【０００６】
本発明の実施例に係るチャネルリソースの指示方法はネットワーク機器に適用され、
端末装置に少なくとも２つのリソースセットを設定することと、
少なくとも２つのリソースセットのうちの１つのリソースセットから第１リソースを選択するように前記端末装置に指示することと、を含み、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する。
【０００７】
本発明の実施例に係る端末装置は、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応し、前記少なくとも２つのリソースセットのうちの１つのリソースセットから、第１リソースを確定する処理ユニットと、
前記第１リソースによって第１チャネルを伝送する通信ユニットと、を備え、
前記通信ユニットは第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し、且つ前記第２チャネルが第１ＤＭＲＳマッピングタイプを用いて伝送し、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送する。
【０００８】
本発明の実施例に係るネットワーク機器は、
端末装置に少なくとも２つのリソースセットを設定する設定ユニットと、
少なくとも２つのリソースセットのうちの１つのリソースセットから第１リソースを選択するように前記端末装置に指示する指示ユニットと、を備え、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する。
【０００９】
本発明の実施例は更に端末装置を提供し、プロセッサと、プロセッサにおいて実行できるコンピュータプログラムを記憶するように構成されるメモリと、を備え、
前記プロセッサは前記コンピュータプログラムを実行するとき、上記方法のステップを実行することに用いられる。
【００１０】
本発明の実施例は更にネットワーク機器を提供し、プロセッサと、プロセッサにおいて実行できるコンピュータプログラムを記憶するように構成されるメモリと、を備え、
前記プロセッサは前記コンピュータプログラムを実行するとき、上記方法のステップを実行することに用いられる。
【００１１】
本発明の実施例は更にコンピュータ記憶媒体を提供し、前記コンピュータ記憶媒体にコンピュータ実行可能命令が記憶され、前記コンピュータ実行可能命令が実行されるとき、上記方法ステップを実現する。
【発明の効果】
【００１２】
本発明の実施例の技術案は異なるスケジューリングタイプ及びＤＭＲＳマッピングタイプに対し異なるリソースセットを設定することができ、これにより、異なるスケジューリングタイプ及びＤＭＲＳマッピングタイプに対しそれぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいてリソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【図面の簡単な説明】
【００１３】
【図１】図１は本発明の実施例に係るチャネルリソースの指示方法のフローチャート１である。
【図２】図２は本発明の実施例のマッピングタイプの模式図１である。
【図３】図３は本発明の実施例のマッピングタイプの模式図２である。
【図４】図４は本発明の実施例のマッピングタイプの模式図３である。
【図５】図５は本発明の実施例のマッピングタイプの模式図４である。
【図６】図６は本発明の実施例に係るチャネルリソースの指示方法のフローチャート２である。
【図７】図７は本発明の実施例に係るチャネルリソースの指示方法のフローチャート３である。
【図８】図８は本発明の実施例の端末装置の要部構成の模式図である。
【図９】図９は本発明の実施例のネットワーク機器の要部構成の模式図である。
【図１０】図１０は本発明の実施例のハードウェアのアーキテクチャ模式図である。
【発明を実施するための形態】
【００１４】
本発明の実施例の特徴及び技術的内容をより詳しく理解するために、以下に図面を参照しながら本発明の実施例の実現を詳しく説明し、添付の図面は説明のためのものであって、本発明の実施例を制限するためのものではない。
【００１５】
実施例１
本発明の実施例に係るチャネルリソースの指示方法は端末装置に適用され、図１に示すように、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応するステップ１０１と、
前記少なくとも２つのリソースセットのうちの１つのリソースセットから、第１リソースを確定するステップ１０２と、
前記第１リソースによって第１チャネルを伝送するステップ１０３と、を含み、
前記第１リソースによって第１チャネルを伝送することは、
第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し且つ前記第２チャネルが第１ＤＭＲＳマッピングタイプを用いて伝送することと、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送することと、を含む。
【００１６】
ここで、前記端末装置は携帯電話、タブレットＰＣ等の通信ネットワークにアクセスできる装置であってもよい。
【００１７】
端末装置に含まれる少なくとも２つのリソースセットのうちの各リソースセットが、時間領域リソース、周波数領域リソース、コード領域リソースのうちの少なくとも１つ時間領域リソース、周波数領域リソース、コード領域リソースのうちの少なくとも１つを含む。
【００１８】
また、異なるリソースセットに含まれる時間領域リソース、周波数領域リソース、コード領域リソースのうちの少なくとも１つ時間領域リソース、周波数領域リソース、コード領域リソースのうちの少なくとも１つが少なくとも部分的に異なり、又は、異なるリソースセットに含まれる時間領域リソース、周波数領域リソース、コード領域リソースのうちの少なくとも１つ時間領域リソース、周波数領域リソース、コード領域リソースのうちの少なくとも１つが完全に異なると理解すべきである。
【００１９】
端末が少なくとも２つのリソースセットを確定する方式は以下を含んでもよい。
【００２０】
方式１
前記端末装置が予め設定された情報に基づいて第１リソースセット及び／又は第２リソースセットの構成を確定する。
【００２１】
具体的には、端末は予め定義された情報によって第１リソースセット及び／又は第２リソースセットの構成を確定することができる。
【００２２】
予め設定された情報又は予め定義された情報は端末側で他の操作によって取得された情報に基づいて予め設定されたものであってもよい。
【００２３】
方式２
前記端末装置がネットワーク側から送信された第１シグナリングに基づいて少なくとも２つのリソースセットの構成を確定する。
【００２４】
具体的に、端末はネットワーク機器から送信された第１シグナリングに基づいて第１リソースセット及び／又は第２リソースセットの構成を確定することができる。
【００２５】
前記第１シグナリングが、ＲＲＣ制御シグナリング又はシステム情報（ＳＩ）である。
【００２６】
更に、上記ステップ１０２では、前記少なくとも２つのリソースセットのうちの１つのリソースセットから、第１リソースを確定することは複数の処理を含んでもよい。
【００２７】
処理１
前記端末装置がネットワーク側から送信された第１制御情報に基づき、前記少なくとも２つのリソースセットのうちの１つのリソースセットから、第１リソースを確定し、
前記第１制御情報が、少なくとも２つのリソースセットのうちの１つのリソースセットにおける第１リソースの番号情報を含む。
【００２８】
具体的には、少なくとも２つのリソースセットに第１リソースセット及び第２リソースセットが含まれる場合、端末がネットワーク機器から送信された第１制御情報に基づき、第１リソースセット又は第２リソースセットから第１リソースを確定する。
【００２９】
前記第１制御情報が、第１リソースセット又は第２リソースセットにおける第１リソースの番号情報を含む。
【００３０】
処理２
前記少なくとも２つのリソースセットのうちの１つのリソースセットから、第１リソースを確定することは、
前記端末装置が第１制御情報のフォーマットに基づき、又は、前記端末装置がネットワーク側から送信されたＤＭＲＳマッピングタイプの指示情報に基づき、前記少なくとも２つのリソースセットのうちの１つのリソースセットから、第１リソースを確定することを含む。
【００３１】
第１制御情報のフォーマットがＤＣＩのフォーマットであってもよい。
【００３２】
つまり、端末は前記第１制御情報のフォーマット（例えば、ＤＣＩフォーマット）に基づき又はネットワーク機器から送信された復調用参照信号マッピングタイプの指示情報を用いることを確定することにより、第１リソースを第１リソースセットによって確定するか又は第２リソースセットによって確定するかを確定することができる。
【００３３】
上記２つの処理方式では、前記第１制御情報がいずれもダウンリンク制御情報ＤＣＩ及び／又は媒体アクセス制御（ＭＡＣ）制御要素（ＣＥ）であってもよい。
【００３４】
前記第１チャネルが、前記第１リソースセットに対応する第１ＤＭＲＳマッピングタイプを用いて伝送するとき、又は、第１チャネルが第２チャネルに対するＨＡＲＱ−ＡＣＫ情報を伝送し且つ前記第２チャネルが第１ＤＭＲＳマッピングタイプを用いて伝送するとき、前記方法は、更に、
該チャネルを伝送するタイムスロットの開始シンボルに基づいて、少なくとも１つのＤＭＲＳシンボルの位置を確定し、又は、前記第１復調用参照信号マッピングタイプを用いて伝送する第１チャネル又は第２チャネルがタイムスロット及び／又はシンボル単位で時間領域リソースを指示することを含む。
【００３５】
前記少なくとも１つの復調用参照信号シンボルの位置が前記タイムスロットの３番目の時間領域シンボル又は４番目の時間領域シンボルである。
【００３６】
前記第１チャネルが、前記第２リソースセットに対応する第２ＤＭＲＳマッピングタイプを用いて伝送するとき、又は、第１チャネルが第２チャネルに対するＨＡＲＱ−ＡＣＫ情報を伝送し且つ前記第２チャネルが第２ＤＭＲＳマッピングタイプを用いて伝送するとき、前記方法は、更に、
前記第２ＤＭＲＳマッピングタイプを用いて伝送する第１チャネル又は第２チャネルにおいて、１組のシンボルの開始シンボルに基づいて、少なくとも１つの復調用参照信号シンボルの位置を確定することを含む。
【００３７】
具体的に、前記第２復調用参照信号マッピングタイプを用いて伝送するチャネルにおいて、少なくとも１つの復調用参照信号シンボルの位置が１組のシンボルの開始シンボルによって確定される。前記１組のシンボルが前記データチャネル及びその復調用参照信号を伝送するシンボルである。前記少なくとも１つの復調用参照信号シンボルは、
前記１組のシンボル内の１番目のシンボル、
前記１組のシンボル内の中央範囲に位置する１つのシンボル、
前記１組のシンボル内の奇数シンボル、
前記１組のシンボル内の偶数シンボルのうちの１つである。
【００３８】
中央範囲にあることはすべてのシンボルの中間シンボルにあると見なされてもよく、例えば、総シンボル数が偶数Ｎである場合、Ｎ／２番目又はＮ／２＋１番目のシンボルである可能性があり、Ｎ／２番目であるか又はＮ／２＋１番目であるかは、奇数シンボルを選択するか又は偶数シンボルを選択するかによって決定される。
【００３９】
又は、シンボル単位で時間領域リソースを指示する。
【００４０】
前記第２復調用参照信号マッピングタイプを用いて伝送するチャネルがシンボル単位で時間領域リソースを指示する。
【００４１】
以上によれば、上記解決手段を用いることにより、異なるスケジューリングタイプ及びＤＭＲＳマッピングタイプに対し異なるリソースセットを設定することができ、これにより、異なるスケジューリングタイプ及びＤＭＲＳマッピングタイプに対しそれぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいて、リソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【００４２】
また、既存のネットワーク側情報（例えば、ＤＣＩフォーマット又は復調用参照信号マッピングタイプ又はスケジューリングタイプの指示情報）に基づき、第１リソースを第１リソースセットによって確定するか又は第２リソースセットによって確定するかを確定することができ、追加のシグナリング指示を必要としないため、更にシグナリング伝送オーバーヘッドを低減する。
【００４３】
実施例２
本実施例は２つのＤＭＲＳマッピングタイプに対しそれぞれＰＤＳＣＨリソースセットを設定し、具体的に、
２つのＰＤＳＣＨ  ＤＭＲＳマッピングタイプがそれぞれＤＭＲＳマッピングタイプＡ（図２参照）及びＤＭＲＳマッピングタイプＢ（図３参照）である。
【００４４】
ＤＭＲＳマッピングタイプＡを用いるＰＤＳＣＨにおいて、ＤＭＲＳシンボルの位置がＰＤＳＣＨの所在するタイムスロットの開始シンボルを参照位置として確定され（例えば、第１ＤＭＲＳシンボルが常にタイムスロットの３番目又は４番目のシンボルに位置する）、ＤＭＲＳマッピングタイプＡは、主にタイムスロットに基づくスケジューリングタイプ（ｓｌｏｔ−ｂａｓｅｄ  ｓｃｈｅｄｕｌｉｎｇ）であり、すなわち、タイムスロットを単位としてスケジューリングする。ＤＭＲＳマッピングタイプＢを用いるＰＤＳＣＨにおいて、ＤＭＲＳシンボルの位置がＰＤＳＣＨの占有したシンボルにおける１番目のシンボルを参照位置として確定され（例えば、第１ＤＭＲＳシンボルが常にＰＤＳＣＨの占有した１番目のシンボルに位置する）、ＤＭＲＳマッピングタイプＢは主に非タイムスロットに基づくスケジューリングタイプ（ｎｏｎ−ｓｌｏｔ−ｂａｓｅｄ  ｓｃｈｅｄｕｌｉｎｇ）であり、すなわち、シンボルを単位としてスケジューリングする。
【００４５】
本実施例は、ＤＭＲＳマッピングタイプＡ（ｓｌｏｔ−ｂａｓｅｄ  ｓｃｈｅｄｕｌｉｎｇ）及びＤＭＲＳマッピングタイプＢ（ｎｏｎ−ｓｌｏｔ−ｂａｓｅｄ  ｓｃｈｅｄｕｌｉｎｇ）に対して、それぞれ１つのＰＤＳＣＨリソースセットを設定し、ＰＤＳＣＨリソースセットＡ及びＰＤＳＣＨリソースセットＢがそれぞれ異なるリソースを含む。本実施例に示されるとおり、ＰＤＳＣＨリソースセットＡが４種類の数量のタイムスロットのリソースを含み、２種類の開始シンボルのリソースのみを含み、且つシンボルの数が異なるリソースを含まず、ＰＤＳＣＨリソースセットＢが４種類の開始シンボルの異なるリソースを含み、タイムスロットの数が異なるリソースを含まず、２種類のシンボル数のリソースを含む。
【表１】
2021502005.tif 000019
【表２】
2021502005.tif 000020
【００４６】
この解決手段を用いることにより、ＰＤＳＣＨリソースセットＡ及びＰＤＳＣＨリソースセットＢは、ｓｌｏｔ−ｂａｓｅｄ  ｓｃｈｅｄｕｌｉｎｇ及びｎｏｎ−ｓｌｏｔ−ｂａｓｅｄ  ｓｃｈｅｄｕｌｉｎｇに対して、リソースの構成をそれぞれ最適化することができる。より効果的なネットワークカバレッジを実現するために、通常、ｓｌｏｔ−ｂａｓｅｄ  ｓｃｈｅｄｕｌｉｎｇのＰＤＳＣＨは、連続した複数のタイムスロットの伝送が必要であり、それは、リソースセットＡを用いることに適合する。低遅延の伝送を実現するために、通常、ｎｏｎ−ｓｌｏｔ−ｂａｓｅｄ  ｓｃｈｅｄｕｌｉｎｇのＰＤＳＣＨは１〜２個のシンボル長の伝送長さが必要であり、リソースセットＢを用いることに適合する。ＤＭＲＳマッピングタイプＡ（ｓｌｏｔ−ｂａｓｅｄ  ｓｃｈｅｄｕｌｉｎｇ）及びＤＭＲＳマッピングタイプＢ（ｎｏｎ−ｓｌｏｔ−ｂａｓｅｄ  ｓｃｈｅｄｕｌｉｎｇ）が１つのリソースセットを共有することに比べて、より高いスケジューリングの柔軟性を実現して、各リソースプールにおけるリソースの数を減少させることができ、それによりＤＣＩでリソースプールにおけるリソース番号を使用するとき、ＤＣＩのシグナリングオーバーヘッドを低減することができる。
【００４７】
実施例３
本実施例は２つのスケジューリングタイプに対しそれぞれＰＵＳＣＨリソースセットを設定する。
【００４８】
２つのＰＵＳＣＨのスケジューリングタイプ（図４、図５参照）、即ち、タイムスロットに基づくスケジューリングタイプ（ｓｌｏｔ−ｂａｓｅｄ  ｓｃｈｅｄｕｌｉｎｇ）、すなわち、タイムスロット単位でスケジューリングするタイプ、及び、非タイムスロットに基づくスケジューリングタイプ（ｎｏｎ−ｓｌｏｔ−ｂａｓｅｄ  ｓｃｈｅｄｕｌｉｎｇ）、すなわち、シンボル単位でスケジューリングするタイプである。
【００４９】
本実施例は、ＤＭＲＳマッピングタイプＡ（ｓｌｏｔ−ｂａｓｅｄ  ｓｃｈｅｄｕｌｉｎｇ）及びＤＭＲＳマッピングタイプＢ（ｎｏｎ−ｓｌｏｔ−ｂａｓｅｄ  ｓｃｈｅｄｕｌｉｎｇ）に対して、それぞれ１つのＰＵＳＣＨリソースセット、すなわちＰＵＳＣＨリソースセットＡ及びＰＵＳＣＨリソースセットＢを設定し、それらがそれぞれ異なるリソースを含む。本実施例に示されるとおり、ＰＵＳＣＨリソースセットＡが４種類の数量のタイムスロットのリソースを含み、２種類の開始シンボルのリソースのみを含み、且つシンボルの数が異なるリソースを含まず、ＰＵＳＣＨリソースセットＢが４種類の開始シンボルの異なるリソースを含み、タイムスロットの数が異なるリソースを含まず、２種類のシンボル数のリソースを含む。
【表３】
2021502005.tif 000021
【表４】
2021502005.tif 000022
【００５０】
この解決手段を用いることにより、ＰＵＳＣＨリソースセットＡ及びＰＵＳＣＨリソースセットＢは、ｓｌｏｔ−ｂａｓｅｄ  ｓｃｈｅｄｕｌｉｎｇ及びｎｏｎ−ｓｌｏｔ−ｂａｓｅｄ  ｓｃｈｅｄｕｌｉｎｇに対して、リソースの構成をそれぞれ最適化することができる。より効果的なネットワークカバレッジを実現するために、通常、ｓｌｏｔ−ｂａｓｅｄ  ｓｃｈｅｄｕｌｉｎｇのＰＵＳＣＨは複数のタイムスロットを連続的に伝送する必要であり、リソースセットＡを用いることに適合する。低遅延の伝送を実現するために、通常、ｎｏｎ−ｓｌｏｔ−ｂａｓｅｄ  ｓｃｈｅｄｕｌｉｎｇのＰＵＳＣＨは１−２個のシンボル長の伝送長さが必要であり、リソースセットＢを用いることに適合する。ｓｌｏｔ−ｂａｓｅｄ  ｓｃｈｅｄｕｌｉｎｇ及びｎｏｎ−ｓｌｏｔ−ｂａｓｅｄ  ｓｃｈｅｄｕｌｉｎｇが１つのリソースセットを共有することに比べて、より高いスケジューリングの柔軟性を実現して、各リソースプールにおけるリソースの数を減少させることができ、それによりＤＣＩでリソースプールにおけるリソース番号を指示するとき、ＤＣＩのシグナリングオーバーヘッドを低減することができる。
【００５１】
実施例４
本実施例は２つのＤＭＲＳマッピングタイプのＰＤＳＣＨに対応するＨＡＲＱ−ＡＣＫが含まれるＰＵＣＣＨにそれぞれ２種類のリソースセットを設定する。
【００５２】
２つのＰＤＳＣＨ  ＤＭＲＳマッピングタイプがそれぞれＤＭＲＳマッピングタイプＡ（図２参照）及びＤＭＲＳマッピングタイプＢ（図３参照）であり、ＤＭＲＳマッピングタイプＡを用いるＰＤＳＣＨにおいて、ＤＭＲＳシンボルの位置がＰＤＳＣＨの所在するタイムスロットの開始シンボルを参照位置として確定され（例えば、第１ＤＭＲＳシンボルが常にタイムスロットの３番目又は４番目のシンボルに位置する）、ＤＭＲＳマッピングタイプＡは主にタイムスロットに基づくスケジューリングタイプ（ｓｌｏｔ−ｂａｓｅｄ  ｓｃｈｅｄｕｌｉｎｇ）であり、すなわち、タイムスロットを単位としてスケジューリングし、ＤＭＲＳマッピングタイプＢを用いるＰＤＳＣＨにおいて、ＤＭＲＳシンボルの位置がＰＤＳＣＨの占有したシンボルにおける１番目のシンボルを参照位置として確定され（例えば、第１ＤＭＲＳシンボルが常にＰＤＳＣＨの占有した１番目のシンボルに位置する）、ＤＭＲＳマッピングタイプＢは主に非タイムスロットに基づくスケジューリングタイプ（ｎｏｎ−ｓｌｏｔ−ｂａｓｅｄ  ｓｃｈｅｄｕｌｉｎｇ）であり、すなわち、シンボルを単位としてスケジューリングする。
【００５３】
本実施例では、ＤＭＲＳマッピングタイプＡ（ｓｌｏｔ−ｂａｓｅｄ  ｓｃｈｅｄｕｌｉｎｇ）及びＤＭＲＳマッピングタイプＢ（ｎｏｎ−ｓｌｏｔ−ｂａｓｅｄ  ｓｃｈｅｄｕｌｉｎｇ）を用いるＰＤＳＣＨに対応するＨＡＲＱ−ＡＣＫを搬送するＰＵＣＣＨに対して、それぞれ１つのＰＵＣＣＨリソースセット、すなわち、ＰＵＣＣＨリソースセットＡ及びＰＵＣＣＨリソースセットＢを設定し、それらがそれぞれ異なるリソースを含む。本実施例に示されるとおり、ＰＵＣＣＨリソースセットＡが４種類の数量のタイムスロットのリソースを含み、２種類の開始シンボルのリソースのみを含み、且つシンボル数が異なるリソースを含まず、ＰＵＣＣＨリソースセットＢが４種類の開始シンボルの異なるリソースを含み、タイムスロットの数が異なるリソースを含まず、２種類のシンボル数のリソースを含む。
【００５４】
表５  ＤＭＲＳマッピングタイプＡ（ｓｌｏｔ−ｂａｓｅｄ  ｓｃｈｅｄｕｌｉｎｇ）を用いるＰＤＳＣＨに対応するＨＡＲＱ−ＡＣＫが含まれるＰＵＣＣＨのリソースプールＡの構成
【表５】
2021502005.tif 000023
【表６】
2021502005.tif 000024
【００５５】
この解決手段を用いることにより、ＰＵＣＣＨリソースセットＡ及びＰＵＣＣＨリソースセットＢは、それぞれｓｌｏｔ−ｂａｓｅｄ  ｓｃｈｅｄｕｌｉｎｇを用いるＰＤＳＣＨに対応するＨＡＲＱ−ＡＣＫ  ＰＵＣＣＨ、及びｎｏｎ−ｓｌｏｔ−ｂａｓｅｄ  ｓｃｈｅｄｕｌｉｎｇを用いるＰＤＳＣＨに対応するＨＡＲＱ−ＡＣＫ  ＰＵＣＣＨに対しリソースの構成を最適化することができる。より効果的なネットワークカバレッジを実現するために、通常、ｓｌｏｔ−ｂａｓｅｄ  ｓｃｈｅｄｕｌｉｎｇのＰＤＳＣＨは、連続した複数のタイムスロットのＰＵＣＣＨによりそのＨＡＲＱ−ＡＣＫを搬送する必要があり、リソースセットＡを用いることに適合する。低遅延のＨＡＲＱ−ＡＣＫフィードバックを実現するために、通常、ｎｏｎ−ｓｌｏｔ−ｂａｓｅｄ  ｓｃｈｅｄｕｌｉｎｇのＰＤＳＣＨは、１−２個のシンボル長のＰＵＣＣＨによりそのＨＡＲＱ−ＡＣＫを搬送する必要があり、リソースセットＢを用いることに適用する。上記２種類のＰＵＣＣＨが１つのリソースセットを共有することに比べて、より高いスケジューリングの柔軟性を実現して、各リソースプールにおけるリソースの数を減少させることができ、それによりＤＣＩでリソースプールにおけるリソース番号を指示するとき、ＤＣＩのシグナリングオーバーヘッドを低減することができる。
【００５６】
実施例５
図６に示すように、本実施例に係るリソースセットを確定し及びリソースセットからチャネルの伝送リソースを確定するプロセスは、具体的に、
まず、端末装置がネットワーク側（例えば、ネットワーク機器）から送信されたＲＲＣシグナリング、システム情報又は予め定義された構成に基づき、ＤＭＲＳマッピングタイプＡのためのリソースセットＡ及びＤＭＲＳマッピングタイプＢのためのリソースセットＢを確定し、
前記端末装置がネットワーク側から送信されたＤＣＩ又はＭＡＣ  ＣＥを受信し、前記ＤＣＩ又はＭＡＣ  ＣＥにおける指示情報に基づき、今回取得したチャネル（すなわち、上記第１チャネル）がＤＭＲＳマッピングタイプＡに基づくか又はＤＭＲＳマッピングタイプＢに基づくかを確定し、更にリソースセットＡ又はリソースセットＢにおけるチャネルリソースを用いることを確定し、
マッピングタイプＡを用いることを確定する場合、ＤＣＩ又はＭＡＣ  ＣＥの指示によりリソースセットＡからチャネルに使用されるリソースを確定し、確定されたリソース及び対応するＤＭＲＳマッピングタイプＡを用いて該チャネルを伝送し、
マッピングタイプＢを用いることを確定する場合、ＤＣＩ又はＭＡＣ  ＣＥの指示によりリソースセットＢからチャネルに使用されるリソースを確定し、確定されたリソース及び対応するＤＭＲＳマッピングタイプＢを用いて該チャネルを伝送することを含む。
【００５７】
本発明は、ＤＣＩ  ｆｏｒｍａｔ及びスケジューリングタイプによって制御チャネル又はデータチャネルリソースセットを暗示的に指示する方法を提供し、異なるＤＣＩ  ｆｏｒｍａｔ又はスケジューリングタイプに対して異なるチャネルリソースセットを使用することをサポートすることができ、制御シグナリングオーバーヘッドを増加せずに、チャネルリソーススケジューリングの柔軟性を向上させる。
【００５８】
実施例６
本発明の実施例に係るチャネルリソースの指示方法はネットワーク機器に適用され、図７に示すように、
端末装置に少なくとも２つのリソースセットを設定するステップ７０１と、
少なくとも２つのリソースセットのうちの１つのリソースセットから第１リソースを選択するように前記端末装置に指示するステップ７０２と、を含み、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する。
【００５９】
また、異なるリソースセットに含まれる時間領域リソース、周波数領域リソース、コード領域リソースのうちの少なくとも１つが少なくとも部分的に異なり、又は、異なるリソースセットに含まれる時間領域リソース、周波数領域リソース、コード領域リソースのうちの少なくとも１つが完全に異なると理解すべきである。
【００６０】
前記第１チャネルが物理ダウンリンク共有チャネルＰＤＳＣＨ、物理アップリンク共有チャネルＰＵＳＣＨ又は物理アップリンク制御チャネルＰＵＣＣＨである。前記第２チャネルが物理ダウンリンク共有チャネルＰＤＳＣＨである。
【００６１】
端末に少なくとも２つのリソースセットを確定する方式は、
前記端末装置へ第１シグナリングを送信することにより、少なくとも２つのリソースセットの構成を設定することを含んでもよい。
【００６２】
ネットワーク機器は端末装置へ送信した第１シグナリングによって第１リソースセット及び／又は第２リソースセットの構成を確定することができる。
【００６３】
ネットワーク機器が端末へ第１シグナリングを送信することにより、第１リソースセット及び／又は第２リソースセットの情報を設定する。前記第１リソースセット及び／又は第２リソースセットの構成には更に各リソースの番号情報が含まれる。
【００６４】
前記第１シグナリングが、ＲＲＣ制御シグナリング又はシステム情報（ＳＩ）である。
【００６５】
更に、少なくとも２つのリソースセットから第１リソースを選択するように端末装置に指示する方式は、
前記端末装置へ第１制御情報を送信することにより、前記第１制御情報によって前記少なくとも２つのリソースセットのうちの１つのリソースセットから、第１リソースを確定することを含んでもよく、
前記第１制御情報が、第１リソースセット又は第２リソースセットにおける第１リソースの番号情報を含む。
【００６６】
復調用参照信号マッピングタイプに対応するフォーマットを用いて前記第１制御情報を送信する。
【００６７】
前記第１制御情報が、少なくとも２つのリソースセットのうちの１つのリソースセットにおける第１リソースの番号情報を含む。
【００６８】
具体的には、少なくとも２つのリソースセットが第１リソースセット及び第２リソースセットを含む場合、端末がネットワーク機器から送信された第１制御情報に基づき、第１リソースセット又は第２リソースセットから第１リソースを確定する。
【００６９】
前記第１制御情報が、第１リソースセット又は第２リソースセットにおける第１リソースの番号情報を含む。
【００７０】
前記第１制御情報が、ダウンリンク制御情報ＤＣＩ及び／又は媒体アクセス制御（ＭＡＣ）制御要素（ＣＥ）である。
【００７１】
また、ネットワーク側が第１リソースを指示する方式は、更に、ネットワーク機器が対応する復調用参照信号マッピングタイプに対応するフォーマット（例えば、ＤＣＩフォーマット）を用いて第１制御情報を送信し又は端末へ復調用参照信号マッピングタイプの指示情報を送信することにより、端末が第１リソースセットから第１リソースを確定するか又は第２リソースセットから第１リソースを確定するかを指示するということであってもよい。それに対応して、前記端末装置が第１制御情報のフォーマットに基づき、又は、前記端末装置がネットワーク側から送信されたＤＭＲＳマッピングタイプの指示情報に基づき、前記少なくとも２つのリソースセットのうちの１つのリソースセットから、第１リソースを確定する。
【００７２】
第１制御情報のフォーマットがＤＣＩのフォーマットであってもよい。
【００７３】
つまり、端末は前記第１制御情報のフォーマット（例えば、ＤＣＩフォーマット）に基づき又はネットワーク機器から送信された復調用参照信号マッピングタイプ又はスケジューリングタイプの指示情報を用いることを確定することにより、第１リソースを第１リソースセットによって確定するか又は第２リソースセットによって確定するかを確定することができる。
【００７４】
以上によれば、上記解決手段を用いることにより、異なるスケジューリングタイプ及びＤＭＲＳマッピングタイプに対して、異なるリソースセットを設定することができ、これにより、異なるスケジューリングタイプ及びＤＭＲＳマッピングタイプに対して、それぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいてリソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【００７５】
また、既存のネットワーク側情報（例えば、ＤＣＩフォーマット又は復調用参照信号マッピングタイプ又はスケジューリングタイプの指示情報）に基づき、第１リソースを第１リソースセットによって確定するか又は第２リソースセットによって確定するかを確定することができ、追加のシグナリング指示を必要としないため、更にシグナリング伝送オーバーヘッドを低減する。
【００７６】
実施例７
本発明の実施例は端末装置を提供し、図８に示すように、
少なくとも第１リソースセット及び第２リソースセットを含む少なくとも２つのリソースセットを確定し、異なるリソースセットが、それぞれ異なる復調用参照信号（ＤＭＲＳ）マッピングタイプに対応し、前記少なくとも２つのリソースセットのうちの１つのリソースセットから、第１リソースを確定する処理ユニット８１と、
前記第１リソースによって第１チャネルを伝送する通信ユニット８２と、を備え、
前記通信ユニット８２は第１リソースセットに基づいて第１リソースを確定する場合、第１チャネルが、前記第１リソースセットに対応する第１ＤＭＲＳマッピングタイプを用いて伝送し、又は、第１チャネルが第２チャネルに対するＨＡＲＱ−ＡＣＫ情報を伝送し、且つ前記第２チャネルが第１ＤＭＲＳマッピングタイプを用いて伝送し、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送し且つ前記第２チャネルが第２ＤＭＲＳマッピングタイプを用いて伝送する。
【００７７】
ここで、前記端末装置が携帯電話、タブレットＰＣ等の通信ネットワークにアクセスできる装置であってもよい。
【００７８】
端末装置に含まれる少なくとも２つのリソースセットのうちの各リソースセットが、時間領域リソース、周波数領域リソース、コード領域リソースのうちの少なくとも１つを含む。
【００７９】
また、異なるリソースセットに含まれる時間領域リソース、周波数領域リソース、コード領域リソースのうちの少なくとも１つが少なくとも部分的に異なり、又は、異なるリソースセットに含まれる時間領域リソース、周波数領域リソース、コード領域リソースのうちの少なくとも１つが完全に異なると理解すべきである。
【００８０】
端末が少なくとも２つのリソースセットを確定する方式は以下を含んでもよい。
【００８１】
方式１
処理ユニット８１が予め設定された情報に基づいて第１リソースセット及び／又は第２リソースセットの構成を確定する。
【００８２】
具体的には、端末は予め定義された情報によって第１リソースセット及び／又は第２リソースセットの構成を確定することができる。
【００８３】
予め設定された情報又は予め定義された情報は端末側で他の操作によって取得された情報に基づいて予め設定されたものであってもよい。
【００８４】
方式２
処理ユニット８１がネットワーク側から送信された第１シグナリングに基づいて少なくとも２つのリソースセットの構成を確定する。
【００８５】
具体的に、端末はネットワーク機器から送信された第１シグナリングに基づいて第１リソースセット及び／又は第２リソースセットの構成を確定することができる。
【００８６】
前記第１シグナリングが、ＲＲＣ制御シグナリング又はシステム情報（ＳＩ）である。
【００８７】
更に、前記少なくとも２つのリソースセットのうちの１つのリソースセットから、第１リソースを確定することは更に複数の処理を含んでもよい。
【００８８】
処理１
処理ユニット８１がネットワーク側から送信された第１制御情報に基づき、前記少なくとも２つのリソースセットのうちの１つのリソースセットから、第１リソースを確定し、
前記第１制御情報が、少なくとも２つのリソースセットのうちの１つのリソースセットにおける第１リソースの番号情報を含む。
【００８９】
具体的には、少なくとも２つのリソースセットが第１リソースセット及び第２リソースセットを含む場合、端末がネットワーク機器から送信された第１制御情報に基づき、第１リソースセット又は第２リソースセットから第１リソースを確定する。
【００９０】
前記第１制御情報が、第１リソースセット又は第２リソースセットにおける第１リソースの番号情報を含む。
【００９１】
処理２
処理ユニット８１が第１制御情報のフォーマットに基づき、又は、前記端末装置がネットワーク側から送信されたＤＭＲＳマッピングタイプの指示情報に基づき、前記少なくとも２つのリソースセットのうちの１つのリソースセットから、第１リソースを確定する。
【００９２】
第１制御情報のフォーマットがＤＣＩのフォーマットであってもよい。
【００９３】
つまり、端末は前記第１制御情報のフォーマット（例えば、ＤＣＩフォーマット）に基づき又はネットワーク機器から送信された復調用参照信号マッピングタイプの指示情報を用いることを確定することにより、第１リソースを第１リソースセットによって確定するか又は第２リソースセットによって確定するかを確定することができる。
【００９４】
上記２つの処理方式では、前記第１制御情報がいずれもダウンリンク制御情報ＤＣＩ及び／又は媒体アクセス制御（ＭＡＣ）制御要素（ＣＥ）であってもよい。
【００９５】
前記第１チャネルが、前記第１リソースセットに対応する第１ＤＭＲＳマッピングタイプを用いて伝送するとき、又は、第１チャネルが第２チャネルに対するＨＡＲＱ−ＡＣＫ情報を伝送し且つ前記第２チャネルが第１ＤＭＲＳマッピングタイプを用いて伝送するとき、前記方法は、更に、
該チャネルを伝送するタイムスロットの開始シンボルに基づいて、少なくとも１つのＤＭＲＳシンボルの位置を確定し、又は、前記第１復調用参照信号マッピングタイプを用いて伝送する第１チャネル又は第２チャネルがタイムスロット及び／又はシンボル単位で時間領域リソースを指示することを含む。
【００９６】
前記少なくとも１つの復調用参照信号シンボルの位置が前記タイムスロットの３番目の時間領域シンボル又は４番目の時間領域シンボルである。
【００９７】
前記第１チャネルが、前記第２リソースセットに対応する第２ＤＭＲＳマッピングタイプを用いて伝送するとき、又は、第１チャネルが第２チャネルに対するＨＡＲＱ−ＡＣＫ情報を伝送し且つ前記第２チャネルが第２ＤＭＲＳマッピングタイプを用いて伝送するとき、前記方法は、更に、
前記第２ＤＭＲＳマッピングタイプを用いて伝送する第１チャネル又は第２チャネルにおいて、１組のシンボルの開始シンボルに基づいて、少なくとも１つの復調用参照信号シンボルの位置を確定することを含む。
【００９８】
具体的に、前記第２復調用参照信号マッピングタイプを用いて伝送するチャネルにおいて、少なくとも１つの復調用参照信号シンボルの位置が１組のシンボルの開始シンボルによって確定される。前記１組のシンボルが前記データチャネル及びその復調用参照信号を伝送するシンボルである。前記少なくとも１つの復調用参照信号シンボルは、
前記１組のシンボル内の１番目のシンボル、
前記１組のシンボル内の中央範囲に位置する１つのシンボル、
前記１組のシンボル内の奇数シンボル、
前記１組のシンボル内の偶数シンボルのうちの１つである。
【００９９】
中央範囲にあることはすべてのシンボルの中間シンボルにあると見なされてもよく、例えば、総シンボル数が偶数Ｎである場合、Ｎ／２番目又はＮ／２＋１番目のシンボルである可能性があり、Ｎ／２であるか又はＮ／２＋１番目であるかは、奇数シンボルを選択するか又は偶数シンボルを選択するかによって決定される。
【０１００】
又は、シンボル単位で時間領域リソースを指示する。
【０１０１】
前記第２復調用参照信号マッピングタイプを用いて伝送するチャネルがシンボル単位で時間領域リソースを指示する。
【０１０２】
以上によれば、上記解決手段を用いることにより、異なるスケジューリングタイプ及びＤＭＲＳマッピングタイプに対し異なるリソースセットを設定することができ、これにより、異なるスケジューリングタイプ及びＤＭＲＳマッピングタイプに対しそれぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいてリソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【０１０３】
また、既存のネットワーク側情報（例えば、ＤＣＩフォーマット又は復調用参照信号マッピングタイプ又はスケジューリングタイプの指示情報）に基づき、第１リソースを第１リソースセットによって確定するか又は第２リソースセットによって確定するかを確定することができ、追加のシグナリング指示を必要としないため、更にシグナリング伝送オーバーヘッドを低減する。
【０１０４】
実施例８
本発明の実施例に係るネットワーク機器は図９に示されるとおり、
端末装置に少なくとも２つのリソースセットを設定する設定ユニット９１と、
少なくとも２つのリソースセットのうちの１つのリソースセットから第１リソースを選択するように前記端末装置に指示する指示ユニット９２と、を備え、
前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する。
【０１０５】
また、異なるリソースセットに含まれる時間領域リソース、周波数領域リソース、コード領域リソースのうちの少なくとも１つが少なくとも部分的に異なり、又は、異なるリソースセットに含まれる時間領域リソース、周波数領域リソース、コード領域リソースのうちの少なくとも１つが完全に異なると理解すべきである。
【０１０６】
前記第１チャネルが物理ダウンリンク共有チャネルＰＤＳＣＨ、物理アップリンク共有チャネルＰＵＳＣＨ又は物理アップリンク制御チャネルＰＵＣＣＨである。前記第２チャネルが物理ダウンリンク共有チャネルＰＤＳＣＨである。
【０１０７】
設定ユニット９１は前記端末装置へ第１シグナリングを送信することにより、少なくとも２つのリソースセットの構成を設定する。
【０１０８】
ネットワーク機器は端末装置へ送信する第１シグナリングによって第１リソースセット及び／又は第２リソースセットの構成を確定することができる。
【０１０９】
ネットワーク機器が端末へ第１シグナリングを送信することにより、第１リソースセット及び／又は第２リソースセットの情報を設定する。前記第１リソースセット及び／又は第２リソースセットの構成には更に各リソースの番号情報が含まれる。
【０１１０】
前記第１シグナリングが、ＲＲＣ制御シグナリング又はシステム情報（ＳＩ）である。
【０１１１】
更に、指示ユニット９２は前記端末装置へ第１制御情報を送信することにより、前記第１制御情報によって前記少なくとも２つのリソースセットのうちの１つのリソースセットから、第１リソースを確定し、
前記第１制御情報が、第１リソースセット又は第２リソースセットにおける第１リソースの番号情報を含む。
【０１１２】
復調用参照信号マッピングタイプに対応するフォーマットを用いて前記第１制御情報を送信する。
【０１１３】
前記第１制御情報が、少なくとも２つのリソースセットのうちの１つのリソースセットにおける第１リソースの番号情報を含む。
【０１１４】
具体的には、少なくとも２つのリソースセットが第１リソースセット及び第２リソースセットを含む場合、端末がネットワーク機器から送信された第１制御情報に基づき、第１リソースセット又は第２リソースセットから第１リソースを確定する。
【０１１５】
前記第１制御情報が、第１リソースセット又は第２リソースセットにおける第１リソースの番号情報を含む。
【０１１６】
前記第１制御情報が、ダウンリンク制御情報ＤＣＩ及び／又は媒体アクセス制御（ＭＡＣ）制御要素（ＣＥ）である。
【０１１７】
また、指示ユニット９２は更に対応する復調用参照信号マッピングタイプに対応するフォーマット（例えば、ＤＣＩフォーマット）を用いて第１制御情報を送信し又は端末へ復調用参照信号マッピングタイプの指示情報を送信することにより、第１リソースセット又は第２リソースセットから第１リソースを確定するように端末に指示することができる。それに対応して、前記端末装置が第１制御情報のフォーマットに基づき、又は、前記端末装置がネットワーク側から送信されたＤＭＲＳマッピングタイプの指示情報に基づき、前記少なくとも２つのリソースセットのうちの１つのリソースセットから、第１リソースを確定する。
【０１１８】
第１制御情報のフォーマットがＤＣＩのフォーマットであってもよい。
【０１１９】
つまり、端末は前記第１制御情報のフォーマット（例えば、ＤＣＩフォーマット）に基づき又はネットワーク機器から送信された復調用参照信号マッピングタイプの指示情報を用いることを確定することにより、第１リソースを第１リソースセットによって確定するか又は第２リソースセットによって確定するかを確定することができる。
【０１２０】
以上によれば、上記解決手段を用いることにより、異なるスケジューリングタイプ及びＤＭＲＳマッピングタイプに対し異なるリソースセットを設定することができ、これにより、異なるスケジューリングタイプ及びＤＭＲＳマッピングタイプに対しそれぞれその候補リソースを最適化し、更にスケジューリングするたびにネットワーク側情報（例えば、スケジューリングタイプ、ＤＭＲＳマッピングタイプの指示情報、対応するＤＣＩフォーマット、ＤＣＩ等）に基づいてリソースセットの選択及び具体的なリソースの確定を行って、確定されたリソースにおいてチャネルを伝送すればよい。このように、従来技術における「複数のスケジューリングタイプ又は対応するＤＣＩ  Ｆｏｒｍａｔに１つ又は１セットのＰＵＣＣＨリソースセットを統一して設定する」による各スケジューリングタイプのリソーススケジューリングの柔軟性が制限されたという問題を回避し、本考案は各スケジューリングタイプのそれぞれのリソーススケジューリングの柔軟性を向上させ、チャネル伝送のより効率的なリソース利用率及び伝送性能を実現し、且つより大きなシグナリングオーバーヘッドを回避することができる。
【０１２１】
また、既存のネットワーク側情報（例えば、ＤＣＩフォーマット又は復調用参照信号マッピングタイプ又はスケジューリングタイプの指示情報）に基づき、第１リソースを第１リソースセットによって確定するか又は第２リソースセットによって確定するかを確定することができ、追加のシグナリング指示を必要としないため、更にシグナリング伝送オーバーヘッドを低減する。
【０１２２】
本発明の実施例は更に端末装置又はネットワーク機器のハードウェアの構成アーキテクチャを提供し、図１０に示すように、少なくとも１つのプロセッサ１００１、メモリ１００２、少なくとも１つのネットワークインターフェース１００３を備える。各コンポーネントがバスシステム１００４によって結合される。バスシステム１００４はこれらのコンポーネントの接続通信を実現することに用いられると理解される。バスシステム１００４はデータバスを備えるだけでなく、更に電源バス、制御バス及び状態信号バスを備える。しかしながら、明確に説明するために、図１０には各種類のバスがいずれもバスシステム１００４と記される。
【０１２３】
本発明の実施例におけるメモリ１００２は揮発性メモリ又は不揮発性メモリであってもよく、又は、揮発性メモリ及び不揮発性メモリを含んでもよいと理解される。
【０１２４】
いくつかの対応方式では、メモリ１００２には、実行可能モジュール又はデータ構造、又はそれらのサブセット、又はそれらの拡張セット、すなわち、
オペレーティングシステム１００２１及びアプリケーションプログラム１００２２が記憶される。
【０１２５】
前記プロセッサ１００１は実施例１又は実施例６に記載のすべての方法ステップを実行できるように構成され、ここで詳細な説明は省略する。
【０１２６】
本発明の実施例に係るコンピュータ記憶媒体にはコンピュータ実行可能命令が記憶され、前記コンピュータ実行可能命令が実行されるとき、上記実施例１又は６の方法ステップを実施する。
【０１２７】
本発明の実施例に記載の装置はソフトウェア機能モジュールの形式で実現され、且つ独立した製品として販売又は使用されるとき、１つのコンピュータ可読記憶媒体に記憶されてもよい。このような理解に基づき、本発明の実施例の技術案の本質又は従来技術に貢献する部分はソフトウェア製品の形式で具現されてもよく、該コンピュータソフトウェア製品は、１台のコンピュータ装置（パーソナルコンピュータ、サーバ又はネットワーク機器等であってもよい）に本発明の各実施例に記載の方法の全部又は一部を実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェアとソフトウェアとの組み合わせに制限されていない。
【０１２８】
それに対応して、本発明の実施例は更にコンピュータ記憶媒体を提供し、コンピュータプログラムが記憶され、該コンピュータプログラムが本発明の実施例のデータスケジューリング方法を実行するように構成される。
【０１２９】
例示のために、既に本発明の好適な実施例を開示したが、当業者であれば、種々の改良、追加及び置換も可能であると理解され、従って、本発明の範囲が上記実施例に限らない。
【手続補正２】
【補正対象書類名】特許請求の範囲
【補正対象項目名】全文
【補正方法】変更
【補正の内容】
【特許請求の範囲】
【請求項１】
チャネルリソースの指示方法であって、端末装置に実行され、
少なくとも２つのリソースセットのうちの１つのリソースセットから、第１リソースを確定することであって、前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する、ことと、
前記第１リソースによって第１チャネルを伝送することと、を含み、
前記第１リソースによって第１チャネルを伝送することは、
第１リソースセットに基づいて第１リソースを確定する場合、第１チャネルが、前記第１リソースセットに対応する第１ＤＭＲＳマッピングタイプを用いて伝送すること、又は、
第２リソースセットに基づいて第１リソースを確定する場合、第１チャネルが、前記第２リソースセットに対応する第２ＤＭＲＳマッピングタイプを用いて伝送し、又は、第１チャネルが第２チャネルに対するＨＡＲＱ−ＡＣＫ情報を伝送すること、を含む、前記チャネルリソースの指示方法。
【請求項２】
前記少なくとも２つのリソースセットのうちの１つのリソースセットから、第１リソースを確定する前に、
前記少なくとも２つのリソースセットを確定することをさらに含むことを特徴とする、
請求項１に記載の方法。
【請求項３】
各リソースセットが、時間領域リソース、周波数領域リソース、コード領域リソースのうちの少なくとも１つを含むことを特徴とする
請求項１又は２に記載の方法。
【請求項４】
少なくとも２つのリソースセットを確定することは、
予め設定された情報に基づいて少なくとも２つのリソースセットの構成を確定することを含むことを特徴とする
請求項２に記載の方法。
【請求項５】
前記少なくとも２つのリソースセットのうちの１つのリソースセットから、第１リソースを確定することは、
前記端末装置が、ネットワーク側から送信された第１制御情報に基づき、前記少なくとも２つのリソースセットのうちの１つのリソースセットから、第１リソースを確定することを含み、
前記第１制御情報が、少なくとも２つのリソースセットのうちの１つのリソースセットにおける第１リソースの番号情報を含むことを特徴とする
請求項１又は２に記載の方法。
【請求項６】
前記第１制御情報が、ダウンリンク制御情報ＤＣＩ及び／又は媒体アクセス制御（ＭＡＣ）制御要素（ＣＥ）であることを特徴とする
請求項５に記載の方法。
【請求項７】
前記第１チャネルが、前記第１リソースセットに対応する第１ＤＭＲＳマッピングタイプを用いて伝送するとき、又は、第１チャネルが第２チャネルに対するＨＡＲＱ−ＡＣＫ情報を伝送し且つ前記第２チャネルが第１ＤＭＲＳマッピングタイプを用いて伝送するとき、前記方法は、更に、
該チャネルを伝送するタイムスロットの開始シンボルに基づいて、少なくとも１つのＤＭＲＳシンボルの位置を確定することを含むことを特徴とする
請求項１又は２に記載の方法。
【請求項８】
前記少なくとも１つのＤＭＲＳシンボルが、前記タイムスロットの３番目の時間領域シンボル又は４番目の時間領域シンボルであることを特徴とする
請求項７に記載の方法。
【請求項９】
第２ＤＭＲＳマッピングタイプを用いて伝送される第１チャネルにおいて、少なくとも１つの復調用参照信号シンボルの位置が、１組のシンボルの開始シンボルに基づいて確定されるものであり、
前記１組のシンボルが、前記第１チャネルを伝送するためのシンボルであることを特徴とする
請求項１又は２に記載の方法。
【請求項１０】
前記少なくとも１つの復調用参照信号シンボルは、
前記１組のシンボル内の１番目のシンボル、
前記１組のシンボル内の中央範囲に位置する１つのシンボル、
前記１組のシンボル内の奇数シンボル、
前記１組のシンボル内の偶数シンボルのうちの１つであることを特徴とする
請求項９に記載の方法。
【請求項１１】
前記第１チャネルが、前記第１リソースセットに対応する第１ＤＭＲＳマッピングタイプを用いて伝送するとき、前記方法は、更に、
タイムスロット及び／又はシンボル単位で時間領域リソースを指示することを含み、又は
前記第１チャネルが、前記第２リソースセットに対応する第２ＤＭＲＳマッピングタイプを用いて伝送し前記方法は、更に、
シンボル単位で時間領域リソースを指示することを含むことを特徴とする
請求項１又は２に記載の方法。
【請求項１２】
端末装置であって、
少なくとも２つのリソースセットを確定し、前記少なくとも２つのリソースセットのうちの１つのリソースセットから、第１リソースを確定するように構成され、前記少なくとも２つのリソースセットが、少なくとも第１リソースセット及び第２リソースセットを含み、異なるリソースセットが、それぞれ異なる復調用参照信号（ＤＭＲＳ）マッピングタイプに対応する処理ユニットと、
前記第１リソースによって第１チャネルを伝送する通信ユニットと、を備え、
前記通信ユニットは、第１リソースセットに基づいて第１リソースを確定する場合、第１チャネルが、前記第１リソースセットに対応する第１ＤＭＲＳマッピングタイプを用いて伝送し、又は、
第２リソースセットに基づいて第１リソースを確定する場合、第１チャネルが、前記第２リソースセットに対応する第２ＤＭＲＳマッピングタイプを用いて伝送する、前記端末装置。
【請求項１３】
前記少なくとも２つのリソースセットのうちの１つのリソースセットから、第１リソースを確定する前に、
前記処理ユニットが、前記少なくとも２つのリソースセットを確定するようにさらに構成される
請求項１２に記載の端末装置。
【請求項１４】
処理ユニットが予め設定された情報に基づいて少なくとも２つのリソースセットの構成を確定することを特徴とする
請求項１３に記載の端末装置。
【請求項１５】
前記処理ユニットが、ネットワーク側から送信された第１制御情報に基づき、前記少なくとも２つのリソースセットのうちの１つのリソースセットから、第１リソースを確定し、前記第１制御情報が、少なくとも２つのリソースセットのうちの１つのリソースセットにおける第１リソースの番号情報を含み、又は、
前記第１チャネルが、前記第１リソースセットに対応する第１ＤＭＲＳマッピングタイプを用いて伝送するとき、該チャネルを伝送するタイムスロットの開始シンボルに基づいて、少なくとも１つのＤＭＲＳシンボルの位置を確定し、又は、
第２ＤＭＲＳマッピングタイプを用いて伝送される第１チャネルにおいて、１組のシンボルの開始シンボルに基づいて、少なくとも１つの復調用参照信号シンボルの位置を確定し、前記１組のシンボルが、前記第１チャネルを伝送し、又は、
前記第１チャネルが、前記第１リソースセットに対応する第１ＤＭＲＳマッピングタイプを用いて伝送するとき、タイムスロット及び／又はシンボル単位で時間領域リソースを指示し、又は、
前記第１チャネルが、前記第２リソースセットに対応する第２ＤＭＲＳマッピングタイプを用いて伝送するとき、シンボル単位で時間領域リソースを指示することを特徴とする
請求項１３又は１４に記載の端末装置。
【国際調査報告】
2021502005.tif 000025
2021502005.tif 000026
2021502005.tif 000027
2021502005.tif 000028